(57)【要約】  独立したモバイルネットワークにおけるシステム間のアイドル移動度管理についての提供がここに説明されている。例として、多数のモバイルIP（MIP）アドレスのモバイル装置へのレジストレーションは、システム間の装置のトラッキングを促進するために使用されることがある。モバイル装置をサーブするインターネットプロトコル（IP）ホームエージェントは、MIPをモバイル装置のホームIPアドレスと関連付けることができる。ホームアドレスについて通信が受信されたとき、装置のページングは、ホームアドレスにバウンドした少なくとも複数のMIPを使用して開始されることがある。モバイル装置の応答は、現在の活動的ネットワークアドレスを提供することができ、受信通信は、そのような活動的ネットワークアドレスを介して転送されることがある。ここで説明されるように、モバイル装置は、多数のアドレスバインディングに基づいて、そのようなネットワークをシグナリングすることなくネットワーク中のアタッチメントをスイッチすることができる。したがって、著しいパワー低減は、アイドルモードにおいてモバイル装置に与えられることがある。
2010531095.tif 000002
【特許請求の範囲】
【請求項１】
モバイル装置についての多数のモバイルインターネットプロトコル（MIP）バインディングを受信することと、
前記多数のMIPバインディングの各々のシステムアドレスを前記モバイル装置のホームアドレスにマッピングすることと、
受信されたデータパケット通信の前記モバイル装置に通知するために複数の前記バインディングを使用することと、
前記モバイル装置から通知応答を受信することと、
を備えたシステム間の移動度管理の方法。
【請求項２】
少なくとも前記受信されたパケット通信の部分、または、
通知メッセージ、
の少なくとも１つを前記複数のバインディングの各々と関連したシステムを介して前記モバイル装置にマルチキャストすることをさらに備えた請求項１に記載の方法。
【請求項３】
前記複数のバインディングの非活動的システムアドレス、または、
前記複数のバインディングの活動的システムアドレス、
の少なくとも１つを識別する前記モバイル装置によって開始された通知を受信することをさらに備えた請求項２に記載の方法。
【請求項４】
前記マルチキャストを終了すること及び前記パケット通信を転送ために活動的システムアドレスを使用することをさらに備えた請求項３に記載の方法。
【請求項５】
前記複数のバインディングを使用することは、通知を送信することをさらに備え、前記通知は、モバイルIPメッセージ、データパケット、通知シグナルまたはページングシグナルの１つを含む請求項１に記載の方法。
【請求項６】
前記通知応答は、バインディング更新、通知応答シグナル、または、ページング応答シグナルの１つを含む請求項１に記載の方法。
【請求項７】
前記通知応答に基づいた前記多数のMIPバインディングと関連した１つのシステムアドレスを除いてすべてを削除することをさらに備えた請求項６に記載の方法。
【請求項８】
前記モバイル装置によって開始された別の通知を受信することと、及び、
前記別の通知に基づいた前記ホームアドレスに更なるMIPバインディングをマッピングすることと、または、
前記別の通知に基づいた前記ホームアドレスに前記多数のMIPバインディングの少なくとも１つを再マッピングすることと、
の少なくとも１つをさらに備えた請求項３に記載の方法。
【請求項９】
前記通知応答に基づいた前記多数のMIPバインディングと関連した１つのシステムアドレスを除いたすべてを非活動化することをさらに備えた請求項１に記載の方法。
【請求項１０】
前記モバイル装置によって開始された別の通知応答を受信することと、及び、
さらなるシステムアドレスを活動化することと、または、
前記非活動化されたシステムアドレスの少なくとも１つを再活動化することと、
の少なくとも１つをさらに備えた請求項９に記載の方法。
【請求項１１】
前記通知に関する応答に基づいた前記モバイル装置に現在アタッチされたアクセルネットワークを識別することをさらに備えた請求項１に記載の方法。
【請求項１２】
前記応答に基づいて識別された前記アクセスネットワークのゲートウェイに前記パケット通信を転送することをさらに備えた請求項１０に記載の方法。
【請求項１３】
モバイル装置によって開始されたデータを得るネットワークインターフェースと、前記データは前記モバイル装置についての多数のMIPバインディングを示す、
前記モバイル装置のホームアドレスに前記多数のMIPバインディングの各々についてのシステムアドレスをマップする相関モジュールと、
少なくとも前記データ及び前記アドレスマッピングを記憶するためのメモリと、
受信されたデータパケット通信の前記モバイル装置に通知し、前記モバイル装置からのMIPバインディング応答を引き起こすために複数の前記バインディングを使用するルーティングモジュールと、
を備えたシステム間の移動度管理を提供するMIPホームエージェント。
【請求項１４】
前記複数のバインディングの各々と関連したアクセスゲートウェイに、
少なくとも前記パケット通信の部分と、または、
前記パケット通信に関連した通知メッセージと、
の少なくとも１つをマルチキャストするために前記ネットワークインターフェースを使用するブロードキャストモジュールをさらに備えた請求項１３に記載のMIPホームエージェント。
【請求項１５】
前記ネットワークインターフェースは、
前記複数のバインディングの非活動的システムアドレス、または、
前記複数のバインディングの活動的システムアドレス、
の少なくとも１つを識別する前記モバイル装置で発生された通知を受信する請求項１３に記載のMIPホームエージェント。
【請求項１６】
前記マルチキャストを終了し、前記パケット通信を転送するために活動的システムアドレスを使用するように前記ルーティングモジュールに命令する通信プロセッサをさらに備えた請求項１５に記載のMIPホームエージェント。
【請求項１７】
前記ルーティングモジュールは、前記モバイル装置に通知するために、モバイルIPメッセージ、データパケット、通知シグナル、またはページングシグナルを使用する請求項１に記載のMIPホームエージェント。
【請求項１８】
前記ネットワークインターフェースは、前記モバイル装置で発生した通知応答を受信し、前記通知応答はバインディング更新、データパケット、通知応答シグナル、または、ページング応答シグナルを備えている請求項１３に記載のMIPホームエージェント。
【請求項１９】
前記相関モジュールは、活動的システムアドレスのみを含むために、前記通知応答に基づいた前記記憶されたアドレスマッピングを更新する請求項１８に記載のMIPホームエージェント。
【請求項２０】
前記ネットワークインターフェースは、前記モバイル装置で発生された別の通知応答を受信し、
前記相関モジュールは、前記ホームアドレスをさらなるシステムに関連付けるために、または、前記ホームアドレスを削除されたシステムアドレスの少なくとも１つに再関連付けるために、前記別の通知に基づいて前記記憶されたアドレスマッピングをさらに更新する請求項１９に記載のMIPホームエージェント。
【請求項２１】
前記相関モジュールは、１つのシステムアドレスを除いたすべてを非活動化するために、前記記憶されたアドレスマッピングを更新する請求項１８に記載のMIPホームエージェント。
【請求項２２】
前記ネットワークインターフェースは、前記モバイル装置で発生されたさらなる通知応答を受信し、
前記相関モジュールは、さらなるシステムアドレスを活動化させるために、または、前記非活動化されたシステムアドレスの少なくとも１つを再活動化するために、前記さらなるバインディング更新に基づいて前記記憶されたアドレスマッピングをさらに更新する請求項２１に記載のMIPホームエージェント。
【請求項２３】
前記通知に対する応答に基づいて前記モバイル装置に現在アタッチされたアクセスネットワークを識別するフィルタリングモジュールをさらに備えた請求項１３に記載のホームエージェント。
【請求項２４】
前記ルーティングモジュールは、前記識別されたアクセスネットワークのゲートウェイに前記パケット通信を転送する請求項２３に記載のMIPホームエージェント。
【請求項２５】
モバイル装置についての多数のMIPバインディングを受信するための手段と、
前記モバイル装置のホームアドレスに前記多数MIPバインディングの各々のシステムアドレスをマッピングするための手段と、
受信されたデータ通信の前記モバイル装置に通知するための複数の前記バインディングを使用するための手段と、
を備えたシステム間の移動度管理を提供する装置。
【請求項２６】
モバイル装置についての多数のMIPバインディングを受信する第１モジュールと、
前記モバイル装置のホームアドレスに前記多数のMIPバインディングの各々のシステムアドレスをマップする第２モジュールと、
受信されたデータパケット通信の前記モバイル装置に通知するために複数の前記バインディングを使用する第３モジュールと、
システム間の移動度管理を提供するように構成されたプロセッサ。
【請求項２７】
システム間の移動度管理を提供するように構成されたコンピュータ可読命令を備え、前記命令は少なくとも１つのコンピュータによって、
モバイル装置についての多数のMIPバインディングを受信することと、
前記モバイル装置のホームアドレスに前記多数のMIPバインディングの各々のシステムをマップすることと、
受信されたデータパケット通信の前記モバイル装置を通知するために複数の前記バインディングを使用することと、
を実行可能であるコンピュータ可読媒体。
【請求項２８】
アイドル移動度を独立して管理するモバイルネットワークからの多数のシステムIPアドレスを得ることと、
ホームアドレスに前記多数のアドレスをバインドするネットワークルーティング装置に前記多数のアドレスを提供することと、
活動的アドレスとして前記多数のアドレスの１つを識別するために前記ネットワークルーティング装置を更新することと、
を備えたアイドルの移動度管理を促進するための方法。
【請求項２９】
前記多数のアドレスの少なくとも１つを介してページング事象を受信することをさらに備えた請求項２８に記載の方法。
【請求項３０】
シグナル特徴または前記ページング事象のソースに基づいて前記多数のアドレスの１つを選択することをさらに備え、前記選択されたアドレスは前記活動的アドレスに相当する請求項２９に記載の方法。
【請求項３１】
そのようなネットワークから受信されたページング事象に基づいた前記モバイルネットワークの１つと通信する活動化する通信をさらに備えた請求項２８に記載の方法。
【請求項３２】
少なくとも１つの非活動的モバイルネットワークについてのトラキングエリアレジストレーションカウンターを維持することをさらに備えた請求項２８に記載の方法。
【請求項３３】
前記レジストレーションカウンターの終了の前に前記非活動的モバイルネットワークでトラッキングエリア更新を開始することをさらに備えた請求項３２に記載の方法。
【請求項３４】
前記レットワークルーティング装置から前記活動的アドレスと関連した送信機を介してデータパケット通信を受信することさらに備えた請求項２８に記載の方法。
【請求項３５】
異なる多数のアドレスの１つを活動化することと、前記異なる活動的アドレスの前記ルーティング装置を更新することと、をさらに備えた請求項３４に記載の方法。
【請求項３６】
前記異なる活動的アドレスと関連した送信機を介して次のデータパケット通信の一部を受信することをさらに備えた請求項３５に記載の方法。
【請求項３７】
アイドルモードに入る前に前記ルーティング装置で少なくとも１つの非活動的システムIPアドレスを再レジストレーションすることをさらに備えた請求項２８に記載の方法。
【請求項３８】
非活動的アドレスと関連した前記モバイルネットワークの１つからの送信を検知することと、
前記非活動的アドレスを関連したトラッキングエリアレジストレーション終了カウンターを参照することと、
少なくともしきい値時間が前記終了カウンターに残る場合、前記非活動的アドレスと関連した前記モバイルネットワークで再レジストレーションすることを差し控えることと、
をさらに備えた請求項２８に記載の方法。
【請求項３９】
リモート装置と無線通信を実効するのに適切な命令する記憶するメモリと、
アイドルの移動度を独立して管理するモバイルネットワークからの多数のシステムIPアドレスを得る受信されたシグナルプロセッサと、
ホームアドレスに前記多数のアドレスをバインドするネットワークルーティング装置に前記多数のアドレスを提供する送信プロセッサと、
活動的アドレスとして前記多数のアドレスの１つを識別する前記ネットワークルーティング装置を更新する活動化モジュールと、
を備えたアイドル移動度管理を促進する装置。
【請求項４０】
前記多数のアドレスの少なくとも１つを介してページング事象を受信するアンテナをさらに備えた請求項３９に記載の装置。
【請求項４１】
シグナル特徴または前記ページング事象のソースに基づいて前記多数のアドレスの１つを選択する通信モジュールをさらに備え、前記選択されたアドレスは前記活動的アドレスに相当する請求項４０に記載の装置。
【請求項４２】
前記送信プロセッサは、そのようなネットワークから受信されたページング事象に基づいた前記モバイルネットワークの１つとの通信を活動化する請求項３９に記載の装置。
【請求項４３】
非活動的モバイルネットワークの少なくとも１つについてのトラッキングエリアレジストレーションカウンターを維持するタイミングモジュールをさらに備えた請求項３９に記載の装置。
【請求項４４】
前記送信プロセッサは、前記レジストレーションカウンターの終了の前に前記非活動的モバイルネットワークでトラッキングエリア更新を開始する請求項４３に記載の装置。
【請求項４５】
前記受信されたシグナルプロセッサは、前記ネットワークルーティング装置から前記活動的アドレスに関連する送信機を介してデータパケット通信を得る請求項３９に記載の装置。
【請求項４６】
異なる前記多数のアドレスの１つを活動化する通信モジュールをさらに備え、前記活動化モジュールは、前記異なる活動的アドレスの前記ルーティング装置を更新する請求項４５に記載の装置。
【請求項４７】
前記受信されたシグナルプロセッサは、前記異なる活動的アドレスと関連した送信機を介して次のデータパケット通信の一部を得る請求項４６に記載の装置。
【請求項４８】
前記活動化モジュールは、前記装置がアイドルモードに入る前に前記ルーティング装置で少なくとも１つの非活動的システムIPアドレスを再レジスターする請求項３９に記載の装置。
【請求項４９】
前記受信されたシグナルプロセッサは、非活動的アドレスと関連した前記モバイルネットワークの１つからの送信を検知し、
タイミングモジュールは、前記非活動的アドレスと関連したトラッキングエリアレジストレーション終了カウンターを参照し、
前記活動化モジュールは、少なくともしきい値時間が終了カウンターに残る場合、非活動的アドレスに関連する前記モバイルネットワークで再レジストレーションすることを差し控える請求項３９に記載の装置。
【請求項５０】
リモート装置との無線通信を実行するのに適切な命令を記憶するための手段と、
アイドルの移動度を独立して管理するモバイルネットワークからの多数のシステムIPアドレスを得るための手段と、
ホームアドレスに前記多数のアドレスをバインドするネットワークルーティング装置に前記多数のアドレスを提供するための手段と、
活動的アドレスとして前記多数のアドレスの１つを識別するために前記ネットワークルーティング装置を更新するための手段と、
を備えたアイドルの移動度管理を促進する装置。
【請求項５１】
アイドルの移動度を独立した管理するモバイルネットワークから多数のシステムIPアドレスを得る第１モジュールと、
ホームアドレスに前記多数のアドレスをバインドするネットワークルーティング装置に前記多数のアドレスを提供する第２モジュールと、
活動的アドレスとして前記多数のアドレスの１つを識別するために前記ネットワークルーティング装置を更新する第３モジュールと、
を備えたアイドル移動度管理を促進するように構成されたプロセッサ。
【請求項５２】
アイドルの移動度管理を促進するように構成されたコンピュータ可読命令を備え、前記命令は少なくとも１つのコンピュータによって、
アイドル移動度を独立して管理するモバイルネットワークから多数のシステムIPアドレスを得ることと、
ホームアドレスに前記多数のアドレスをバインドするネットワークルーティング装置に前記多数のアドレスを提供することと、
活動的アドレスとして前記多数のアドレスの１つを識別するために前記ネットワークルーティング装置を更新することと、
を実行可能であるコンピュータ可読媒体。
【請求項５３】
モバイル装置についての多数のMIPバインディングを受信することと、
前記モバイル装置のホームアドレスに前記多数のMIPバインディングの各々のシステムアドレスをマッピングすることと、
第１無線アクセスポインド及び第２無線アクセスポイントの両方に、MIPシグナル、データパケットまたはページングシグナルの１つを転送することと、前記第１無線アクセスポイントは前記多数のMIPバインディングの１つによって識別された第１モバイルネットワークに関連し、前記第２無線アクセスポイントは前記多数のMIPバインディングの別の１つによって識別された第２モバイルネットワークに関連し、
前記第１無線アクセスポイントまたは前記第２無線アクセスポイントのいずれかを介して前記モバイル装置からの通知応答を受信することと、
を備えたシステム間の移動度管理の方法。
【請求項５４】
第１モバイルネットワークに関連する第１無線アクセスステーションと、
第２モバイルネットワークに関連する第２無線アクセスステーションと、さらに備え、前記第２のモバイルネットワークは前記第１モバイルネットワークのアイドル移動度管理を独立して管理し、
前記第１及び前記第２アクセスステーションの両方は、前記受信されたパケット通信の前記モバイル装置への通知を促進するために前記モバイル装置をページし、
前記第１アクセスステーションまたは前記第２アクセスステーションは前記モバイル装置から前記MIPホームエージェントに前記MIPバインディング応答を転送する請求項１２に記載のMIPホームエージェントを備えたシステム。
【請求項５５】
モバイル装置についての多数のMIPバインディングを受信するための手段と、
前記モバイル装置のホームアドレスに前記多数のMIPバインディングの各々のシステムアドレスをマッピングするための手段と、
第１無線アクセスポイントおよび前記第２無線アクセスポイントの両方に、MIPシグナル、データパケットまたはページングシグナルの１つを転送するための手段と、前記第１無線アクセスポイントは前記多数のMIPバインディングの１つによって識別された第１モバイルネットワークと関連し、前記第２無線アクセスポイントは前記多数のMIPバインディングの別の１つによって識別された第２モバイルネットワークに関連し、
前記第１無線アクセスポイントまたは前記第２無線アクセスポイントのいずれかを介して前記モバイル装置からの通知応答を受信するための手段と、
を備えたシステム間の移動度管理を提供する装置。
【発明の詳細な説明】
【優先権主張】
【０００１】
本出願は、2007年6月11日に出願されたINTER SYSTEM IDLE MODE MOBILITYという名称の米国仮特許出願第60/943,282号に基づく優先権を主張し、これについての本譲受人に譲渡され、ここで参照によりこの中に明示的に組み込まれている。
【背景技術】
【０００２】
［分野］
以下は、一般に無線通信に関し、より具体的には多数の移動体通信環境におけるアイドルモードの移動度管理を提供することに関する。
【０００３】
［背景］
無線通信システムは、例えば、音声コンテンツ(content)、データコンテンツなどのような様々なタイプの通信コンテンツを提供するために広く展開されている。典型的な無線通信システムは、利用可能なシステムリソース（例えば、帯域幅、送信パワー）を共有することにより多数のユーザとの通信をサポートすることが可能な多重アクセスシステム（multiple-access system）であることがある。そのような多重アクセスシステムの例は、符号分割多元接続（Code Division Multiple Access）（CDMA）システム、時分割多元接続（Time Division Multiple Access）（TDMA）システム、周波数分割多元接続（Frequency Division Multiple Access）（FDMA）システム、直交FDMA（Orthogonal FDMA）（OFDMA）システムなどを含むことができる。
【０００４】
一般に、無線多元接続通信（wireless multiple-access communication）システムは、多数のモバイル装置についての通信を同時にサポートすることができる。各モバイル装置は、順方向及び逆方向リンクでの送信を介して１つ以上の基地局と通信することができる。順方向リンク（またはダウンリンク）は、基地局からモバイル装置への通信リンクを指し、逆方向リンク（またはアップリンク）は、モバイル装置から基地局への通信リンクを指す。さらに、モバイル装置と基地局との間の通信は、単一入力単一出力（single-input single-output）(SISO)システム、多重入力単一出力（multiple-input single-output）(MISO)システム、多重入力多重出力（multiple-input multiple-output）(MIMO)などを介して確立されることがある。
【０００５】
移動体無線通信について、ネットワークの移動度管理は、移動体通信を可能する１つの重要な機能である。地理的領域（geographic area）またはセルサイト(cell cite)をサーブする無線アクセスネットワーク（radio access network）（RAN）内における基地局は、そのセルサイト内におけるレジストレーション（registration）情報をブロードキャスト（broadcast）することができる。ブロードキャスト情報は、RANの識別及び／または基地局の送信を含むことができる。RANの識別を認識するように構成されたモバイル装置は、RANにアタッチまたはRANで活動的になることができる代わりに、モバイル装置の識別情報（例えば、モバイルID、モバイル装置能力、加入者プロファイル情報など）を提供することができる。一度、基地局で応答が受信されると、特定のモバイル装置をサーブするモバイルネットワークでのホームレジスターは、装置の現在の位置で更新される。したがって、ネットワークは、装置にトラフィックをルートすることができる。
【０００６】
モバイル装置が異なる地理的位置に移動する場合、少なくとも新しいRANに遭遇される、または、オリジナルRANが再確立されるまで、RAN及びモバイルネットワークとの接続を失うことがある。モバイル装置が新しいRANと遭遇する場合、それは新しいRANを介してモバイルネットワークと再アタッチし、無線通信を継続することができる。ネットワークは、装置と現在結合したRAN及び基地局を示すためにモバイル装置の位置を更新することができる；したがって、装置についてのトラフィックは、新しい基地局にルートされるだろう。
【０００７】
パワー及びバッテリーの寿命を保存するために、モバイル装置は、コールまたはデータセッションに積極的に関与しない間、典型的にアイドルモードにある。アイドルモードにおいて、モバイル装置は、基地局をサーブすることによって送信された無線情報の一部のみを処理する。例えば、サービングRANまたはロケーション／トラッキング領域を識別するレジストレーション情報は、基地局によって提出された要求をページングすると同様に典型的に観察される。したがって、モバイル装置は、入力コールが受信されているかどうか（例えば、ページング要求に基づいて）、または、ロケーション／トラッキングエリアを去ったかどうか（例えば、レジストレーション情報に基づいて）を識別することができる。多くの他の情報は、無視され、受信された送信の処理において関わるパワー消費が大いに低減される。したがって、多くの情報を無視し、装置に「目覚め（wake up）」を要求しない間、モバイル装置は、引き続き入力コールを受信し、モバイルネットワークでロケーションエリア更新を行うことできる。後者が生じた場合、モバイルは、典型的に、新しいトラッキングエリア内において基地局にシグナルを送信し、モバイル装置の新しい位置を更新し、その後、パワーを保存するためにアイドルモードに再び戻るのに必要なだけ長く「覚める」だろう。したがって、移動度及びアイドルモード管理は、固定パワーソースと接続されていないときモバイル装置との通信を維持し及び通信能力を保存する両方のために、効果的な移動体通信を囲む中心的な処理である。
【発明の概要】
【０００８】
下記は、そのような態様の基本的な理解を提供するために、１つ以上の態様の単純化された概要を提示する。この概要は、すべての熟考された態様の広範囲な概説ではなく、すべての態様の主要または重要な要素のどちらも識別しないこと、また、いずれかあるいはすべての態様の範囲を図示しないことを意図する。その唯一の目的は、後で示されるさらに詳細な説明の前兆として単純化された形態の１つ以上の態様のあるコンセプトを提示することである。
【０００９】
主題の開示は、独立したトラッキング及びページングを有する移動体通信システムについてのシステム間のアイドルの移動度管理を提供する。モバイル装置への多数のモバイルIP（mobile IP）(MIP)アドレスのレジストレーションは、システム間の移動度トラッキングを促進することができる。少なくとも開示のいくつかの態様において、モバイル装置をサーブするホームエージェントは、IPゲートウェイによって提供されたモバイル装置のホームIPアドレスとMIPを関連付けることができる。ホームエージェントは、MIPを使用するモバイル装置にアタッチされた各システムにおけるシステムページングを活動化することができる。装置は、ページを受信するときにホームエージェントに応答することができ、モバイル装置によって現在使用されていないMIPの削除または非活動化を要求することができる。ホームエージェントは、その後、IPアドレスに活動的MIPを関連付けるようにバインディングを更新し、活動的モバイルネットワーク／活動的MIPを介してモバイル装置に受信されたデータを転送することができる。モバイル装置に多数のMIPをバインディングすることにより及び移動度管理においてこの情報を使用することによって、モバイルは、ネットワークをシグナルする必要なしに多数のモバイルシステム間でスイッチすることができる。そのような環境においてモバイル装置に著しいパワーの低減を与えることができ、多くの状況においてバッテリー寿命を増加すること及びモバイル動作のコストを低減することができる。
【００１０】
さらに、開示されているのは、システム間の移動度管理の方法である。方法は、モバイル装置についての多数のモバイルインターネットプロトコル（mobile Internet Protocol）（MIP）バインディングを受信することと、モバイル装置のホームアドレスに多数のMIPバインディングの各々のシステムアドレスをマッピングすることと、を含むことができる。方法は、受信されたデータパケット通信のモバイル装置に通知するために複数のバインディングを使用することをさらに含むことができる。
【００１１】
前述に加えて、開示されているのは、システム間の移動度管理を提供するMIPホームエージェントである。MIPホームエージェントは、モバイル装置によって開始されたデータを得るネットワークインターフェースと、データはモバイル装置についての多数のMIPバインディングを示し、モバイル装置のホームアドレスに多数のMIPバインディングの各々についてのシステムアドレスをマップする相関モジュールと、含むことができる。MIPホームエージェントは、少なくともデータ及びアドレスマッピングを記憶するためのメモリと、受信されたデータパケット通信のモバイル装置に通知するために複数のバインディングを使用するルーティングモジュールと、をさらに含むことができる。
【００１２】
さらなる態様によれば、提供されているのは、システム間の移動度管理を提供する装置である。装置は、モバイル装置についての多数のMIPバインディングを受信するための手段と、モバイル装置のホームアドレスに多数のMIPバインディングの各々のシステムアドレスをマッピングするための手段と、を含むことができる。さらに、装置は、受信されたデータパケット通信のモバイル装置を通知するために複数のバインディングを使用するための手段を含むことができる。
【００１３】
少なくとも１つの他の態様によれば、開示されているのは、システム間の移動度管理を提供するように構成されたプロセッサである。プロセッサは、モバイル装置についての多数のMIPバインディングを受信する第１モジュールと、モバイル装置のホームアドレスに多数のMIPバインディングの各々のシステムアドレスをマップする第２モジュールと、を含むことができる。プロセッサは、受信されたデータパケット通信のモバイル装置を通知するために複数のバインディングを使用する第３モジュールをさらに含むことができる。
【００１４】
１つ以上の他の態様によれば、開示されているのは、システム間の移動度管理を提供するように構成されたコンピュータ可読命令を備えたコンピュータ可読媒体である。命令は、少なくとも１つのコンピュータによって、モバイル装置についての多数のMIPバインディングを受信することと、モバイル装置のホームアドレスに多数のMIPバインディングの各々のシステムアドレスをマップすることと、を実行可能である。前述に加えて、命令は、少なくとも１つのコンピュータによって、受信されたパケット通信のモバイル装置を通知するために複数のバインディングを使用することが実行可能であることがある。
【００１５】
他の態様によれば、提供されているのは、アイドルの移動度管理を促進するための方法である。方法は、アイドルの移動度を独立して管理するモバイルネットワークから多数のシステムIPアドレスを得ることと、ホームアドレスに多数のアドレスをバインドするネットワークルーティング装置に多数のアドレスを提供することと、を備えることができる。方法は、活動的アドレスとして多数のアドレスの１つを識別するためにネットワークルーティング装置を更新することをさらに備えることができる。
【００１６】
さらに他の態様において、開示されているのは、アイドルの移動度管理を促進する装置である。装置は、リモート装置との無線通信を実行するのに適切な命令を記憶するメモリと、アイドルの移動度を独立して管理するモバイルネットワークからの多数のシステムIPアドレスを得る受信されたシグナルプロセッサと、を含むことができる。さらに、装置は、ホームアドレスに多数のアドレスをバインドするネットワークルーティング装置に多数のアドレスを提供する送信プロセッサを含むことができる。さらに、装置は、活動的アドレスとして多数のアドレスの１つを識別するためにネットワークルーティング装置を更新する活動化（activation）モジュールを含むことができる。
【００１７】
少なくとも他の態様によれば、提供されているのは、アイドルの移動度管理を促進する装置である。装置は、リモート装置との無線通信を実行するのに適切な命令を記憶するための手段と、アイドルの移動度を独立して管理するモバイルネットワークから多数のシステムIPアドレスを得るための手段と、を含むことができる。装置は、ホームアドレスに多数のアドレスをバインドするネットワークルーティング装置に多数のアドレスを提供するための手段と、活動的アドレスとして多数のアドレスの１つを識別するためにネットワークルーティング装置を更新するための手段と、をさらに含むことができる。
【００１８】
さらに他の態様において、開示されているのは、アイドルの移動度管理を促進するように構成されたプロセッサである。プロセッサは、アイドルの移動度を独立して管理するモバイルネットワークから多数のシステムIPアドレスを得る第１モジュールと、ホームアドレスに多数のアドレスをバインドするネットワークルーティング装置に多数のアドレスを提供する第２モジュールと、を含むことができる。さらに、プロセッサは、活動的アドレスとして多数のアドレスの１つを識別するためにネットワークルーティング装置を更新する第３モジュールを含むことができる。
【００１９】
少なくとも１つのさらなる態様において、開示されているのは、アイドルの移動度管理を促進するように構成されたコンピュータ可読命令を含むコンピュータ可読媒体である。命令は、少なくとも１つのコンピュータによって、アイドルの移動度の管理を独立して管理するモバイルネットワークから多数のシステムIPアドレスを得ることと、ホームアドレスに多数のアドレスをバインドするネットワークルーティング装置に多数のアドレスを提供することと、を実行可能であることがある。命令は、少なくとも１つのコンピュータによって、活動的アドレスとして多数のアドレスの１つを識別するためにネットワークルーティング装置を更新することがさらに実行可能であることがある。
【００２０】
前述に加えて、１つ以上の態様において開示されているのは、モバイルの移動度管理の実行する方法である。方法は、モバイル装置をモバイルネットワークでレジスターすることと、ロケーションエリア内においてモバイル装置をページングすることと、を含むことができる。方法は、ページングへの無応答が受信された場合、モバイル装置についての状態をロケーションエリアに関してアイドルに設定することさらに含むことができる。
【００２１】
他の態様によれば、提供されているものは、無線アクセスネットワーク（RAN）基地局である。基地局は、セルサイトに無線オーバーエア（over- the-air）（OTA）をブロードキャストし、リモート装置からOTAメッセージ応答を受信するトランシーバと、基地局と関連したモバイルネットワークでモバイル装置をレジスターするトラッキングモジュールと、を含むことができる。基地局は、ロケーションエリア内においてモバイル装置をページするためにトランシーバを使用する通信モジュールと、ページへの無応答が受信された場合、モバイル装置についての状態をロケーションエリアに関してアイドルに設定する活動(activity)モジュールと、をさらに含むことができる。
【００２２】
少なくとも１つの他の態様において、開示されているのは、モバイルの移動度管理を実行する装置である。装置は、無線オーバーエア（OTA）メッセージをセルサイトにブロードキャストし、リモート装置からのOTAメッセージ応答を受信するための手段と、モバイルネットワークでモバイル装置をレジスターするための手段と、を含むことができる。さらに、装置は、ロケーションエリア内においてモバイル装置をページングするための手段と、ページングへの無応答が受信された場合、モバイル装置についての状態をロケーションエリアに関してアイドルに設定するための手段と、を含むことができる。
【００２３】
１つ以上の他の態様によれば、提供されているのは、モバイルの移動度管理を実行するように構成されたプロセッサである。プロセッサは、モバイルネットワークでモバイル装置をレジスターする第１モジュールと、ロケーションエリア内においてモバイル装置をページする第２モジュールと、を含むことができる。プロセッサは、ページングへの無応答が受信された場合、モバイル装置についての状態をロケーションエリアに関してアイドルに設定する第３モジュールをさらに備えることができる。
【００２４】
１つ以上のさらなる態様によれば、提供されているのは、モバイルの移動度管理を実行するように構成されたコンピュータ可読命令を備えたコンピュータ可読媒体である。命令は、少なくとも１つのコンピュータによって、モバイルネットワークでモバイル装置をレジスターすることと、ロケーションエリア内においてモバイル装置をページすることと、を実行可能であることがある。さらに、命令は、少なくとも１つのコンピュータによって、ページングへの無応答が受信された場合、モバイル装置についての状態をロケーションエリアに関してアイドル状態に設定することを実行可能であることがある。
【００２５】
上述および関連する結末の完成のために、１つ以上の実施例は、下記に完全に説明され、特に特許請求の範囲に示す特徴を含む。以下の説明および添付された図面は、１つ以上の実施例の特定の例となる態様を詳細に述べる。これらの態様は、示すことが可能であるが、様々な実施例の法則が利用される様々な方法および説明された実施例のいくつかは、そのような態様およびそれらの同等物をすべて含むことを意図する。
【図面の簡単な説明】
【００２６】
【図１】図１は、ここで述べられる態様に応じる無線通信を提供するシステム例のブロック図を示す。
【図２】図２は、無線通信環境での使用のための通信装置例のブロック図を図示する。
【図３】図３は、ここで説明された態様に応じるシステム間のアイドルの移動度管理を提供するシステムサンプルのブロック図を示す。
【図４】図４は、主題の開示に態様に応じるIPホームエージェントを備えたシステム例のブロック図を図示する。
【図５】図５は、さらなる態様に応じるシステム間のアイドルの移動度管理を提供するシステム例のブロック図を示す。
【図６】図６は、ある態様に応じるシステム間の移動度のレジストレーション例のブロック図を図示する。
【図７】図７は、さらなる態様に応じるマルチシステムの移動度のレジストレーション例のブロック図を図示する。
【図８】図８は、１つ以上の態様に応じるマルチシステムのモバイルレジストレーションについてのマルチシステムのページング事象サンプルのブロック図を示す。
【図９】図９は、さらなる態様に応じるモバイル装置例のブロック図を図示する。
【図１０】図１０は、システム間の移動度管理を促進する無線アクセスネットワーク基地局サンプルのブロック図を示す。
【図１１】図１１は、システム間のアイドルの移動度管理を提供するための方法例のフローチャートを図示する。
【図１２】図１２は、システム間の環境においてデータ通信を転送するための方法例のフローチャートを示す。
【図１３】図１３は、さらなる態様に応じるマルチシステムレジストレーション及びアイドルの移動度管理を促進する方法例のフローチャートを図示する。
【図１４】図１４は、少なくとも１つのさらなる態様に応じるシステム間のアイドルの移動度管理を促進するための方法例のフローチャートを示す。
【図１５】図１５は、独立したモバイルシステムについての移動度管理を促進するシステム例のブロック図を図示する。
【図１６】図１６は、独立したモバイルシステムについての移動度管理を促進するシステム例のブロック図を図示する。
【図１７】図１７は、独立したモバイルシステムについての移動度管理を促進するシステム例のブロック図を図示する。
【発明を実施するための形態】
【００２７】
様々な態様は、これから図面を参照して説明される、ここで使用した数字などは全体にわたって要素などを指すために使用されている。以下の説明において、説明の目的のために、多数の特定の詳細は、１つ以上の態様の完全な理解を提供するために述べられる。それは明白であることがあるが、いくつかの態様はこれらの特定の詳細なしで実施されることがある。他の例において、１つ以上の態様の説明を促進するために、既知の構造及び装置はブロック図の形式で説明される。
【００２８】
さらに、本開示の様々な態様が下記に述べられる。それは、ここで教えることは、種々の様々な形式で具体化することができ、ここで示されたすべての特定の構造及び／または機能が単に典型例であることが明白であるべきである。ここで教えることに基づいて、当業者は、ここで示された態様がすべての他の態様と独立してインプリメントされることがあり、２つ以上のこれらの態様が様々な方法で組み合わせられることがあることを認識するべきである。例えば、装置はインプリメントされることがあり、及び／または、方法はここで述べられたすべての数の態様を使用して実行される。さらに、装置はインプリメントされることがあり、及び／または、方法はここで述べられた１つ以上の態様に加えて、あるいは、１つ以上の態様とは別に他の構成及び／または機能を使用して実行される。例として、ここで説明された多くの方法、装置（device）、システム及び装置（apparatus）は、１つ以上の無線チャネルの特性を決定し、決定された特性の大きさの一部に基づいたハンドオーバ決定を提供するコンテキストに説明されている。当業者は、同様の技術が他の通信環境に適用できることがあることを認識するべきである。
【００２９】
主題の本開示は、システム間のアイドルの移動性管理について提供する。成功した移動体無線通信は、モバイルネットワークのモバイル装置の位置をトラックする能力に依存する。ネットワークが装置をトラックする１つの方法は、様々な位置やトラッキングエリアを識別し、位置／トラッキングエリアに関してモバイル装置の位置を維持することによる。ネットワークは、トラッキングエリアのIDを含むパイロット同期シグナルを送信することができる。モバイル装置がそのようなシグナルを受信する場合、それは、関連するモバイルネットワークにモバイルID及び他のレジストレーション情報を転送することができる開始トランシーバに応答することができる。モバイルネットワークは、その後、モバイル装置をトラッキングエリアのIDと関連させ、トラッキングエリアを接続し、トラフィックをモバイル装置の転送するために利用する。
【００３０】
モバイル装置のバッテリーパワーを保存するために、モバイルは、典型的に入力ネットワーク送信の一部のみを処理する。トラッキングエリアID情報を提供する同期情報、及び
、モバイルへの入力コールを示すページングシグナルは、多くの他の情報が主として無視されている間にトラックされることがある。小部分の入力送信のみが処理されるような状態は、アイドル状態と呼ばれる。アイドル状態において、モバイル装置は、装置が入力送信のより大部分を処理しているとき（例えば、音声及び／またはデータ通信に加わるとき）、活動状態よりも著しく少ないパワーを消費する。上記で説明されたように、モバイル装置の位置を管理することは、ほとんどの場合においてモバイル装置からいくらかのシグナリングを要求する。そのようなシグナリングは、バッテリーパワーを低減するが、位置の更新の要求がより少なければ、モバイルのバッテリーパワーがより長くもつだろう。
【００３１】
モバイル装置が単一のネットワークインターフェースチップのみを有しており、単一のネットワークを使用することのみを許可する場合、位置の更新は典型的に頻繁ではない。モバイル装置が単一の位置に残る場合、トラッキングエリアは、モバイル装置からのほとんどのシグナリングを要求せず、めったに更新が生じない。しかしながら、装置が多数のモバイルネットワークタイプ（例えば、第２世代（second generation）［2G］ネットワーク、第３世代パートナーシッププロジェクト(third generation partnership project)[3GPP]ネットワーク、第３世代パートナーシッププロジェクト２[3GPP2]ネットワーク、無線忠実度(wireless fidelity)[WiFi]ネットワークなど）と通信することを可能にする多数のネットワークインテーフェースチップを有するマルチモード装置は、さらなるネットワークシグナリングに従う。例えば、装置が多数のシステム（例えば、2Gシステム及び3GPPシステム）と接続されている場合、装置はシグナル品質に依存してネットワーク間で選ぶことができる。典型的に、１つから他のネットワークへのスイッチングは、ネットワークが装置の移動度を共有しないため、さらなるシグナリングを要求する。したがって、アイドルモードにおける１つから他のネットワークへの各スイッチは、パワーを消費するシグナリングを伴うことができるだろう。
【００３２】
データ通信について、モバイルネットワークは、典型的に、モバイル装置についてのホームインターネットプロトコルアドレスを得るホームエージェントを含む。ホームエージェントは、モバイルIP（MIP）通信におけるモバイル装置についてのステーショナリープロクシ（proxy）として働く。ホームエージェントがステーショナリーIPアドレスを有するため、データは、典型的なIPネットワークプロトコルに応じてホームエージェントに転送されることがある。
【００３３】
各モバイルネットワークは、一時的なアドレスのケア（care of Address）をネットワークによってサーブされたモバイル装置に提供する。CoAは、モバイルネットワークがデータ通信についてのネットワークでレジスターされたモバイル装置を識別し、区別することを可能にする。CoAは、適当な特定のネットワークにのみローカルなプライベートIPアドレスと類似している。
【００３４】
一度、モバイル装置がネットワークCoAを得ると、装置は、ホームエージェントをCoAで更新することができる。CoAは、ホームエージェントがどのモバイルネットワークでモバイル装置がアタッチされているか、したがって、どのモバイルネットワークゲートウェイにデータトラフィックを転送させるかを識別することを可能にする。ホームエージェントは、その後、CoAをモバイル装置のホームIPアドレスにバインドすることができる。したがって、モバイル装置のホームアドレスに導かれるIP通信は、ホームエージェントによって遮断され、装置の現在の位置においてモバイル装置をサーブする特定のネットワークゲートウェイに転送される。モバイル装置が単一のモード装置である場合、CoAは、まれにのみ、例えば、電源がオフされ、再びオンになるときに変化するかもしれない。これは、単一のモード装置が単一のネットワークのタイプのみでレジスターし、そのネットワークによって提供されたCoAのみ必要であるからである。しかしながら、マルチモード装置について、新しいCoAは、マルチモード装置がレジスターする各ネットワークのタイプ（例えば、2G、3GPP、3GPP2、WiFiなど）に必要とされることがある。さらに、マルチモード装置が１つのネットワークタイプと他のネットワークとの間で交換する場合、各変化は、時間の間隔及び／または連続したレジストレーション間の装置の位置の変化に依存して、各ネットワークによって提供された異なるCoAをもたらすかもしれない。
【００３５】
上記に説明したように、１つと他のネットワークとの間で交換することは、ネットワークのシグナリング要求によってモバイル装置が大幅な量のバッテリーパワーを要するかもしれない。主題の本開示の１つの対応において、１つのモバイルシステム（例えば、移動体通信についてのグローバルシステム（global system for mobile communication）[GSM]）と他のモバイルシステム（例えば、ユニバーサルモバイルテレコミュニケーションシステム（universal mobile telecommunication system）[UMTS]）との間のスイッチングに関連したネットワークシグナリングは、装置がアイドルモードにとどまることを可能にし、多くの状況で著しくバッテリー寿命を増加することを可能にして、縮小または回避されることがある。そのような態様において、モバイル装置をサーブするホームエージェントは、モバイル装置がアタッチされた各モバイルシステムについてのCoAを得ることができる。CoAは、モバイル装置についてのホームIPアドレスにバウンドされることがある。ホームIPアドレスに送られた入力データ通信がホームエージェントによって受信された場合、ホームエージェントは、多数のモバイルネットワークでページングを開始するために複数のCoAを使用する。ページングは、全てのデータ通信、データ通信の一部、または、複数のCoAの各々に関連するIPゲートウェイ（例えば、ゲートウェイジェネラルパケットラジオシステムサポートノード（gateway general packet radio system support node [GGSN]）へのデータ通信に関連する単の通知メッセージを転送することによって開始されることがある。（例として、全てのデータ通信が送られていない場合、通信は、利用可能なメモリに依存して、バッファされることがあり、後の送信のために記憶されることがあり、廃棄されることがある。）モバイル装置は、その後、すべての複数のCoAでも活動的な場合、ページを受信することができる。したがって、モバイル装置は、ホームエージェントがそれらの各々でページングを開始するため、複数のCoAに関連した少なくとも複数のモバイルネットワークで交換するとき、さらなるシグナリングを実行する必要がない。結果として、モバイル装置は、一度多数のシステムでレジスターされると、シグナリング要求がないシステム間のアイドル移動度を達成することができる。
【００３６】
前述に加えて、マルチモード装置がアタッチされたモバイルネットワークからページを受信するとき、モバイル装置は、アイドルモードから「覚める（wake up）」ことができ、ホームエージェントにバインディング更新（binding update）を送信することができる。バインディング更新は、アタッチされたモバイルネットワークを関連した活動的CoAを示すことができ、モバイル装置が現在アタッチされていないネットワークの非活動的CoAを示すことができ、または、両方を示すことができる。したがって、ホームエージェントは、ホームアドレスを更新することができる−活動的CoAを示すために、及び、活動的CoAと関連したモバイルネットワークとデータ通信を継続するためにCoAバインディングする。他のモバイルネットワークへのデータ通信は、システム間の冗長なページング/帯域幅の使用を縮小するために終了されることがある。
【００３７】
音声及び／またはデータ通信に積極的に従事している間、活動的CoAが変化する場合、モバイル装置は、ホームエージェントを更新することができる。例えば、モバイル装置が他のモバイルネットワーク（例えば、非活動的としてレジスターされたネットワークの１つ、または新しいモバイルネットワーク）とアタッチし、このネットワーク（例えば、シグナル条件に基づいた）を活動化する場合、新しいネットワークのCoAがホームエージェントに提供されることがある、それはこのCoAが新しいネットワークを介してモバイル装置にトラフィックをルートするためにこのCoAを使用される。モバイル装置が「アイドル」モードに戻る場合、さらなるバインディング更新がモバイル装置のホームIPアドレスに非活動的CoAを再バインドさせるためにホームエージェントに送信されることがある。そのような方法において、モバイル装置は、ホームエージェントやネットワーク（例えば、トラッキングエリア更新などの各ネットワークの移動度管理の制限内）にシグナルする必要なしに、様々なネットワーク中でロームすることができる。
【００３８】
主題の本開示の１つの態様において、モバイル装置は、モバイルネットワークから得られた各CoAについてのレジストレーションカウンターを維持することができる。レジストレーションカウンターは、CoAを出すモバイルネットワークによって維持されたレジストレーションカウンターと一致することができる、または、類似することができる。例として、UMTSモバイルネットワークについての無線アクセスネットワーク（radio access network）(RAN)は、ネットワークでモバイル装置をレジストレーションすることで、レジストレーションタイマーを開始することができる。モバイル装置とネットワークとの間にシグナリングが生じる限り、レジストレーションタイマーはリセットされることがあり、モバイル装置についてのレジストレーション情報は維持される。しかしながら、レジストレーションタイマーがモバイル装置からのシグナリングなしで終了する場合（例えば、装置の電源が切られる、またはRANエリアを去る）、レジストレーションは、他のモバイル装置についてのメモリ及びチャネルリソースを開放して、終了されることがある。ネットワークのカウンターと一致するレジストレーションカウンターを維持することによって、モバイル装置は、ネットワークでまだレジスターされているかどうか、または、レジストレーションが終了しているかどうかを決定することができる。終了されたレジストレーションと関連するCoAは、モバイル装置によって削除されることがあるのに対して、活動的レジストレーションと関連するCoAは、モバイル装置で維持されることがあり、アドレスバインディング（例えば、上記で説明したように、モバイル装置が「アイドル」モードに入る前）のためにホームエージェントに提供される。したがって、モバイル装置は、活動的及び終了されたネットワークレジストレーションのトラックを維持することができ、活動的レジストレーションのみでホームエージェント更新することができる。ホームエージェントがモバイル装置のホームIPアドレスについての通信を受信するとき、モバイル装置についての活動的レジストレーションを有するモバイルネットワークのみでページングを開始することがありそうである。
【００３９】
１つ以上の態様によれば、モバイル装置は、CoAレジストレーションを維持するように、モバイルネットワークにシグナルすることを試みることができる。シグナリングは、そのようなネットワークと関連したレジストレーションカウンターの値の少なくとも位置に基づくことがある。例えば、カウンターが終了のしきい値時間内にある場合、モバイル装置は、ネットワークにシグナルすることを試みることができる。シグナリングが成功する場合、レジストレーションカウンターはリセットされることがある。CoAアドレスをモバイル装置のホームアドレスにマッピングする次のバインディング更新は、リセットカウンターと関連したCoAを含むことができる。シグナリングが失敗の場合、レジストレーションは削除されることがあり、バインディング更新はCoAを削除するホームエージェントに送られる（または、例えば、CoAは、ホームアドレスでCoAを再レジスターする次のバインディング更新からないことがある）。したがって、モバイル装置は、１つ以上のネットワークでレジストレーションの維持を要求される以外は、システム間の移動度におけるシグナリングすることを差し控えることができる。レジストレーションが失敗するとき、適切なCoAアドレスは削除されることがあり、サービングホームエージェントで撤去／更新されないことがある。したがって、最小シグナリングは、モバイル装置が異なるモバイル装置間でよく「バウンス（bounce）」するときでさえ、要求されることがあり、システム間のバウンス操作に基づいたパワー消費問題を著しく低減する。
【００４０】
主題の本開示に使用されたように、用語「コンポーネント（component）」、「システム（system）」、「モジュール（module）」などは、コンピュータ関連の全体、ハードウェア、ソフトウェア、実行中のソフトウェア、ミドルウェア、マイクロコード、及び／またはこれらの任意の組み合わせのいずれかのことを指すことを意図する。例えば、モジュールは、プロセッサで実行されている処理、プロセッサ、オブジェクト、実行可能、実行のスレッド、プログラム、装置、及び／またはコンピュータであることがあるが、限定されない。１つ以上のモジュールは、プロセス及び実行のスレッド内にあることができ、モジュールは、１つの電子機器に局所化されることがあり、及び／または、２つ以上の電子機器間で分配されることがある。さらに、これらのモジュールは、それらに記憶された様々なデータ構造を有する様々なコンピュータ可読媒体から実行することができる。モジュールは、１つ以上のデータパケット（例えば、ローカルシステム、分散システムにおける他のコンポーネントとインターラクトする１つのコンポーネントからのデータ、及び／または、シグナルを介して他のシステムを有するインターネットのようなネットワークにわたったデータ）を有するシグナルに応じるなどのローカル及び／またはリモート処理を介して通信することができる。さらに、ここで説明されたシステムのコンポーネントまたはモジュールは、当業者によって理解されるように、様々な態様、ゴール、利点などの達成を促進するために、さらなるコンポーネント／モジュール／システムによって再構成及び／または補足されることがあり、それに関して説明されており、与えられた図において述べられた正確な構成に制限されていない。
【００４１】
さらに、様々な態様は、移動体通信装置（または、例えば、モバイル装置）に関してここに説明されている。移動体通信装置は、システム、加入者ユニット、加入者ステーション、モバイルステーション、モバイル、リモートステーション、リモートターミナル、アクセスターミナル、ユーザターミナル、ユーザエージェント、ユーザ装置、またはユーザイクイップメントとも呼ばれることがある。加入者ステーションは、携帯電話、コードレス電話、セッションイニシエーションプロトコル（Session Initiation Protocol）(SIP)電話、無線ローカルロープ（wireless local loop）（WLL）ステーション、携帯情報端末(PDA)、無線接続能力を有するハンドヘルド装置、または無線モデムに接続された他の処理装置あるいは処理装置で無線通信を促進する同様のメカニズムであることがある。
【００４２】
１つ以上の典型的な実施例において、説明された機能は、ハードウェア、ソフトウェア、ファームウェア、ミドルウェア、マイクロコード、またはこれらの任意の適切な組み合わせにおいてインプリメントされることがある。ソフトウェアにおいてインプリメントされた場合、機能は、記憶されることがある、または、１つ以上の命令またはコンピュータ可読媒体のコードとして送信されることがある。コンピュータ可読媒体は、コンピュータ記憶媒体及び１つ場所から別場所へのコンピュータプログラムの転送を促進する任意の媒体を含む通信媒体の両方を含む。記憶媒体は、コンピュータによってアクセスされることがある任意の物理的媒体であることがある。限定ではなく例として、そのようなコンピュータ記憶媒体は、RAM、ROM、EEPROM、CD-ROMまたは他の光学ディスク記憶装置、磁気ディスク記憶装置あるいは他の磁気記憶装置、または、命令あるいはデータ構造の形式で希望のプログラムコードを搬送または記憶するために使用することができ、コンピュータによってアクセスされことがある他の任意の媒体を含むことができる。さらに、任意の接続は、コンピュータ可読媒体と適切に呼ばれる。例えば、ソフトウェアが、同軸ケーブル（coaxial cable）、光ファイバケーブル（fiber optic cable）、より対線（twisted pair）、ディジタル加入者線（digital subscriber line）（DSL）、または赤外線、電波、およびマイクロ波などの無線技術を使用して、ウェブサイト、サーバ、または他の遠隔ソースから伝送される場合、これにより同軸ケーブル、光ファイバケーブル、より対線、DSL、または赤外線、電波、及びマイクロ波などの無線技術は、媒体の定義に含まれている。ここで使用されるディスク（disk）及びディスク（disc）には、コンパクトディスク（CD）、レーザーディスク（登録商標）、光ディスク、ディジタルバーサタイルディスク（DVD）、フロッピー（登録商標）ディスク、およびブルーレイディスクが含まれる、ただし、ディスク（disk）は通常データを磁気的に再現するのに対して、ディスク（disc）はレーザーでデータを光学的に再現する。上記の組み合わせは、さらに、コンピュータ可読媒体の範囲内に含まれているべきである。
【００４３】
ハードウェアのインプリメンテーションについて、ここで開示された態様と関連して説明された様々な実例となるロジック、ロジカルブロック、モジュール及び回路は、１つ以上の特定用途向集積回路（application specific integrated circuits）(ASIC)、デジタル信号プロセッサ（digital signal processors）(DSP)、デジタル信号処理装置（digital signal processing devices）(DSPD)、プログラム可能ロジック装置（programmable logic devices）(PLD)、フィールドプログラム可能ゲートアレイ（field programmable gate arrays）(FPGA)、ディスクリートゲートあるいはトランジスタロジック、ディスクリートハードウェアコンポーネント、汎用プロセッサ、コントローラ、マイクロコントローラ、マイクロプロセッサ、ここで説明された機能を実行するために設計された他の電気的にユニット、または、これらの組み合わせないにおいてインプリメントまたは実行されることがある。汎用プロセッサは、マイクロプロセッサになることがあるが、代替すると、プロセッサは、任意の従来のプロセッサ、コントローラ、マイクロコントローラ、または、状態マシン（state machine）になることがある。プロセッサは、さらに、コンピューティング装置の組み合わせ、例えば、DSPとマイクロプロセッサとの組み合わせ、複数のマイクロプロセッサの組み合わせ、DSPコアと関連する１つ以上のマイクロプロセッサの組み合わせ、任意の他の適切な構成の組み合わせとしてインプリメントされることがある。さらに、少なくとも１つのプロセッサは、ここで説明された1つ以上のステップ及び／またはアクションを実行するのに動作可能な１つ以上のモジュールを含むことができる。
【００４４】
さらに、ここ説明された様々な態様または特徴は、方法、装置、あるいは、標準プログラミング及び／またはエンジニアリング技術を使用する製品（article of manufacture）としてインプリメントされることがある。さらに、ここで開示された態様に関連した説明された方法あるいはアルゴリズムのステップ及び／あるいはアクションは、ハードウェア、ソフトウェア、プロセッサによって実行されたモジュール、または２つの組み合わせにおいて直接具体化されることがある。さらに、ある態様において、方法またはアルゴリズムのステップ及び／あるいはアクションは、コンピュータプログラムプロダクトに組み込まれることがある少なくとも１つのコードあるいは任意の組み合わせのコードあるいはコードのセット、及び／または、マシン可読媒体及び／あるいはコンピュータ可読媒体の命令として存在することがある。ここで使用される「製品」という用語は、任意のコンピュータ可読媒体、キャリア、または媒体からアクセス可能なコンピュータプログラムを含むことが意図される。例えば、コンピュータ可読媒体は、磁気記憶装置（例えば、ハードディスク、フロッピー（登録商標）ディスク、磁気ストリップ等）、光学ディスク（例えば、コンパクトディスク（CD）、デジタルバーサタイルディスク（DVD）等）、スマートカード、及び、フラッシュメモリ装置（例えば、カード、スティック、キードライブ等）を含むことができるが、限定されない。さらに、ここで説明された様々な記憶媒体は、情報を記憶するための１つ以上の装置及び／または他のマシン可読媒体を表すことができる。「マシン可読媒体」という用語は、無線チャネル及び命令及び／あるいはデータを記憶、包含、搬送することが可能な様々な他の媒体を含めることができるか、限定されない。
【００４５】
さらに、「典型的」という単語は、例、具体例（instance）、実例としてサーブされること意味するためにここで使用される。「典型的」としてここで説明された任意の態様または設計は、他の態様または設計よりも好ましいまたは有利であると解釈される必要はない。逆に、典型的な単語の使用は、具体的な方法においてコンセプトを示すことが意図される。本出願において使用されるように、「または（or）」という単語は、排他的な「あるいは」ではなく、包括的な「または」を意味することが意図される。すなわち、「XはAまたはBを使用する」は、他の方法で特定、または、コンテキストから明瞭でないならば、すべての自然な包括的な置換を意味することが意図される。それは、XがAを使用する場合；XがBを使用する場合；またはXがA及びBの両方をしようする場合、そうなら、「XがAまたはBを使用する」は、すべての先の例において満たされる。さらに、「a」及び「an」とういうアーティクルは、この本出願及び添付されたクレームで使用されるように、単数形式に導かれるように他の方法で特定、または、コンテキストから明瞭でないならば、「１つ以上」を意味するために一般に解釈されるべきである。
【００４６】
ここで使用されるように、「推論する」または「推論」という用語は、システム、環境、及び／または、事象及び／またはデータか介して取り込まれた観測のセットからのユーザの推論に関する処理または推論する状態を一般に指す。推論は、例えば、特定のコンテキストまたはアクションを識別するために使用されることがあり、または、状態に関する確率分布を生成することができる。推論は、確率的であることがある−それは、データ及び事象の考察に基づいた利益の状態に関する確率分布の計算である。推論は、さらに、事象及び／又はデータのセットからより高い例ベルの事象を構成するために使用された技術を指すことがある。そのような推論は、事象が一時的な近傍が関連されるであろうと、事象及びデータが１つまたはいくつかの事象及びデータリソースから来るであろうとなかろうと、観察された事象及び／または記憶された事象データのセットからの新しい事象またはアクションの構成という結果になる。
【００４７】
ここで、図面を参照すると、図１は、１つ以上の態様と関連して使用されることがあるような多数の基地局110及び多数のターミナル120を有する無線通信システム100を示す。基地局（110）は、一般的に、ターミナルと通信し、アクセスポイント、ノードB、または他のある用語と呼ばれることがある固定局である。各基地局110は、図１における３つの地理的エリア（geographic area）として示され、102ａ、102b及び102cと表示された特定の地理的エリアまたはカバレージエリア（coverage area）についての通信カバレージを提供する。用語「セル」は、用語が使用されるコンテキストによって基地局及び／またはそのカバレージエリアを指すことができる。システムの容量を改善するために、基地局の地理的エリア／カバレージエリアは、多数の小さなエリア（例えば、図１におけるセル102ａによると３つ小さなエリア）、104a、104b、104cに分割されることがある。各小さなエリア（104a、104b、104c）は、それぞれのベーストランシーバサブシステム（base transceiver subsystem）(BTS)によってサーブされることがある。用語「セクター」は、用語が使用されるコンテキストによってBTS及び／またはそのカバレージエリアを指すことができる。セクター化（sectorized）セルについて、そのセルのすべてのセクターについてのBTSは、典型的に、セルについての基地局内において共同に位置される。ここで説明された送信技術は、セクター化セルを有するシステムならびに未セクター化（un-sectorized）セルを有するシステムについて使用されることがある。簡略化すると、以下の説明において、別の方法で特定されなければ、用語「基地局」は、一般的に、セクターをサーブする固定局ならびにセルをサーブする固定局について使用される。
【００４８】
ターミナル120は、典型的に、システムの全体にわたって分散されており、各ターミナル120は、固定体または移動体であることがある。ターミナル120は、さらに、モバイルステーション（mobile station）、ユーザイクイップメント（user equipment）、ユーザ装置（user device）、または他のある用語と呼ばれることがある。ターミナル120は、無線装置、携帯電話、携帯情報端末（personal digital assistant）(PDA)、無線モデルカード（wireless modem card）などであることがある。各ターミナル120は、任意の所定の瞬間においてダウンリンク及びアップリンクで０、１、または多数の基地局110と通信することができる。ダウンリンク（または順方向リンク）は、基地局からターミナルへの通信リンクを指し、アップリンク（または逆方向リンク）は、ターミナルから基地局への通信リンクを指す。
【００４９】
集中型アーキテクチャについて、システムコントローラ130は、基地局110に連結され、基地局110についての調整及び制御を提供する。分散型アーキテクチャについては、基地局110は、必要に応じて互いに通信することができる。順方向リンクでのデータ送信は、順方向リンク及び／または通信システムによってサポートされることがある最大データレートであるいは近くで１つのアクセスポイントから１つのアクセスターミナルでよく生じる。さらなる順方向リンクのチャネル（例えば、制御チャネル）は、多数のアクセスポイントから１つのアクセスターミナルに送信されることがある。逆方向リンクのデータ通信は、１つのアクセスターミナルから1つ以上のアクセスポイントで生じることがある。
【００５０】
図２は、様々な態様に応じた特別な、または、計画されていない／やや計画された無線通信環境200を示す。システム200は、無線通信シグナルを互いに及び／または1つ以上のモバイル装置204に受信、送信、再現（repeat）などをする１つ以上のセル及び／セクターにおいて１つ以上の基地局202を含むことができる。示すように、各基地局202は、４つの地理的エリアとして示され、206a、206b、206c及び206dと表示された特定の地理的エリアについての通信カバレージを提供することができる。各基地局202は、当業者によって理解されるように、送信機チェイン（chain）及び受信機チェインを含むことができ、また、それらの各々はシグナル送信及び受信と関連した複数のコンポーネント（例えば、プロセッサ、変調器、マルチプレクサ、復調器、ディマルチプレクサ、アンテナなど）を含むことができる。モバイル装置204は、例えば、携帯電話、スマートフォン、ラップトップ、ハンドヘルド通信装置（handheld communication device）、ハンドヘルドコンピューティング装置（handheld computing device）、衛星ラジオ、グローバルポジショニングシステム（global positioning system）、PDA、及び／又は無線ネットワーク200で通信するために適切な他の任意の装置であることがある。システム200は、ここで述べられるように、無線通信環境（200）における同期OTA（synchronized OTA）メッセージ送信の提供及び／または使用を促進するために、ここで説明された様々な態様に関連して使用されることがある。
【００５１】
図３は、主題の本開示の態様に応じるシステム間の移動度管理を提供することが可能なシステム300の例のブロック図を示す。システム300は、少なくとも１つのモバイル装置304をサービングするモバイルIPホームエージェント302を含むことができる。モバイル装置304は、様々な無線アクセスネットワーク（RAN）（306、308、310）の基地局（306A、306B、308A、310A、310B）と無線で連結するマルチモード装置(例えば、多数の無線通信インターフェースまたはチップセットを有する)であることがある。基地局306A、306B、308A、 310A、310Bは、関連するRAN306A、308A、310Bについての少なくとも１つのトラッキングエリアをサーブすることができる。（基地局は、システム300についての基地局／トラッキングエリア、またはBA／TAと以下に呼ばれるだろう。）RAN306、308、310は、互いに独立してモバイル装置304の移動度をトラックするモバイルネットワークと関連することがある。そのような環境において、システム300は、低減されたモバイル装置のシグナリングのため、バッテリーの寿命を保存するため、装置（304）間の妨害を低減するため、マルチシステム（300）移動体通信の全体の効率を増加するために提供する。
【００５２】
１つ以上の態様において、システム300は、多数のネットワーク306、308、310におけるモバイル装置のトラッキングを促進するために、ホームエージェント302における多数のアドレスバインディングを使用することができる。さらに、トラッキングは、多くの状況においてモバイル装置304の部分のわずかなまたはないシグナリングでインプリメントされることがある。前述のコンセプトを示す例として、モバイル装置304は、各RAN306、308、310とレジスターされ、各RAN306、308、310から別個のCoAを得る。CoAは、モバイル装置304と関連するホームIPアドレスにCoAをバインドするホームエージェント302に提供される。モバイル装置304についてのホームエージェント302において入力通信が受信された場合、通信は、少なくとも複数のRAN306、308、310（例えば、すべてのRAN306、308、310、活動的としてリストされたRAN306、308、310など）に転送される。RAN306、308、310は、その後、通信を転送するために、モバイル装置304をページすることができる。したがって、システム300は、任意の所定の時点でモバイル装置304がどのRAN306、308、310がアタッチされているかを正確に知る必要はない。したがって、モバイル装置304は、わずかなネットワークシグナリングまたはネットワークシグナリングなしでRAN306、308、310間でスイッチすることができ、システム間の移動環境（300）におけるパワー消費を著しく低減する。
【００５３】
効率的なデータ通信を促進するために、モバイル装置304は、モバイル装置304がネットワーク（306、308、310）からページを受信するとき、選択された活動的CoAでホームエージェント302を更新することができる。装置304が多数のあるネットワーク（306、308、310）からページを受信する場合、１つのネットワークは、シグナルの品質、帯域幅、妨害またはチャネル特性などに基づいて活動的として選択されることがある。したがって、モバイル装置304が３つのRAN306、308、310のうちモバイル装置304が活動的レジストレーションを有する１つ（例えば、BS／TA 5 310を介して、固定無線リンクによって示されるRAN C 310）のみにアタッチする場合、モバイル装置304は、RAN C 310が活動的ネットワークであると示すホームエージェント302にバインディング更新を送信することができる。したがって、ホームエージェント302は、RAN A 306及びRAN B 310と関連するCoAを削除（または、例えば、これらのCoAを非活動状態に設定、または、ある他の適切マナーにおいてRAN C 310からこれらの区別）することができる。モバイル装置304に関連した次の通信は、少なくともホームエージェント302がモバイル装置304から新しいバインディング更新を得るまで、RAN C 310を介してホームエージェント302によってルートされるだろう。
【００５４】
上記で説明されたように、モバイル装置304は、ホームエージェント302にシグナルする必要なしに、１つのRAN306、308、310から別のものまでスイッチすることができる。モバイル装置304が１つのBS／TA306A、306B、308A、310A、310Bから別のものまで移動する場合、それは典型的に、あるネットワーク306、308、310についての装置304のトラッキングエリア位置を更新するために関連するネットワークをシグナルするだろう。例えば、モバイル装置304がBA／TA 1 360Aでレジスターし、次にBS／TA 2 306Bから同期情報を受信する場合、モバイル装置は、RAN 1 306をシグナルし、代わりにBS／TA 2 306Bにレジスターすることができる。新しいトラッキングエリアのレジストレーションの結果、新しいCoAがRAN A 306から得られる場合、この新しいCoAは、ホームエージェント302に提供されることがある（そうでなければ、RAN A 306によって提供された前のCoAが維持されることがある）。しかしながら、RAN A 306からRAN B 308またはRAN C 310へのスイッチングは、モバイル装置があるネットワーク306、308、310と関連する不変トラッキングエリアを維持する限り、さらなるシグナリングを要求しない。
【００５５】
モバイル装置304に関連する活動的通信が終了する場合、モバイル装置は、パワーを保存するために、「アイドル」状態に戻ることができる。ホームエージェント302における多数のバインディングを維持するために、モバイル装置304は、ホームエージェント302によって削除または非活動化されたネットワーク（306、308、310）のCoAを含む他のバインディング更新を開始することができる。例えば、モバイル装置304は、RAN C 310からページを受信する。モバイル装置304は、RAN C 310によって提供されたCoAがモバイル装置304にトラフィックを転送するために使用されるべきであることを示すホームエージェント302を更新することができる。他のネットワーク（例えば、RAN A 306及び／またはRAN B 308）と関連するCoAは、上記に説明されたように、ホームエージェント302によって削除または非活動化される。システム間の移動度を維持するために、ホームエージェント302が多数のシステムでモバイル装置304についてのページングを開始することができるように、削除／非活動化されたCoAは、モバイル装置304によってホームエージェント302に再送信されることがある。モバイル装置304は、その後、「アイドル」状態に入ることができ、簡単にインバウンド同期情報をモニター（例えば、ネットワークトラッキングエリアにおける変化を識別するために）、情報をページング（例えば、インバウンドコールを識別するために）することができる。
【００５６】
図４は、主題の本開示の態様に応じるIPホームエージェント402を含むシステム400の例のブロック図を図示する。IPホームエージェント402は、１つ以上のモバイル装置（図示しない）についてのIPルーティングを提供することができる。IPルーティングは、多数のモバイルネットワークによって提供された多数のシステムアドレスをモバイル装置に関連したホームIPエージェントにバインディングすることを含むことができる。さらに、ホームエージェント402は、システム間のアイドルの移動度をインプリメントするために、多数のバインディングを使用することができる。
【００５７】
ホームエージェント402は、モバイル装置によって開始されたデータを得るネットワークインターフェース404を含むことができる。そのようなデータは、モバイル装置についての多数のMIPバインディング（例えば、システムCoA）を含むことができ、ホームエージェント402におけるメモリ408において記憶されることがある。ホームエージェント402は、さらに、インターネット、インターネットサービスプロバイダ（Internet Service Provider）（ISP）を介するなどのIPネットワークとの通信を提供するIPインターフェース406を含むことができる。IPインターフェース406及びネットワークインターフェース404は、ホームエージェント402が１つ以上のモバイルネットワークを介してホームエージェント402と結合するモバイル装置についてのIPプロクシとしてサーブできることを可能にする。
【００５８】
さらに、モバイルIPホームエージェント402は、モバイル装置によって提供された多数のMIPバインディングの各々についてのシステムアドレスをそのような装置についてのホームIPアドレスにマップする相関モジュール408を含むことができる。MIPバインディングをホームIPアドレスに互い関連付けるマップは、メモリ408において記憶し、参照されることがある。システムアドレスは、モバイル装置に連結したモバイルネットワークを識別し、ホームエージェント402がそのようなモバイルネットワークを介してモバイル装置への通信を転送することを可能にする。多数のシステムアドレスをホームIPアドレスにバインディングすることによって、ホームエージェント402は、多数のシステムアドレスと関連した任意の適切なモバイルネットワークを介してモバイル装置への通信を転送することを試みることができる。
【００５９】
上述したものに加えて、ホームエージェント402は、IPトラフィックをIPネットワークからそのような装置へ転送するために、モバイル装置のホームIPアドレスにマップされた複数のMIPバインディングを使用することができるルーティングモジュール412を含むことができる。例えば、特定のホームIPアドレスにルートされたデータ通信が受信されたとき、ルーティングモジュール412は、ホームIPアドレスにマップされたMIPバインディングを参照することができ、モバイル装置と潜在的に連結されたモバイルネットワークを識別することができる。ルーティングモジュール412は、受信された通信のモバイル装置に通知するために、受信されたデータ、またはこれらの一部を少なくとも複数の識別されたモバイルネットワークに転送することができる。少なくとも１つの態様において、ホームエージェント402は、パケット通信をホームIPアドレスにバウンドするシステムアドレスに関連するすべてのモバイルネットワークに転送することができる。したがって、そのようなネットワークは、パケット通信の完成を促進するためにページングルーティンを開始することができる。
【００６０】
図５は、さらなる態様に応じるシステム間のアイドルの移動度管理を提供するシステム500の例のブロック図を示す。システム500は、複数のモバイルアクセスネットワーク、RAN A 506及びRAN B 508に通信で連結されたモバイルIPホームエージェントを含むことができる。RAN506、508は、少なくとも１つのモバイル装置504についての無線通信を提供する。主題の本開示においてどこかで説明されたように、ホームエージェント502は、多数のシステムアドレスをモバイル装置504のホームIPアドレスにマップすることができ、受信されたデータ通信をシステムアドレスに関連した少なくとも複数のモバイルネットワー記（506、508）にルートすることができる。さらに、ホームエージェント502は、モバイル装置504と関連した活動的ネットワーク及び／またはシステムアドレスを識別する情報を得ることができる。次のデータ通信の部分は、他のネットワークの代わりに活動的ネットワークを介して転送されることがある。したがって、システム500は、そのようなネットワークによる次の通信の部分を転送することを差し控えることにより、他のネットワークのリソースをページングするネットワークを最小化することができる。
【００６１】
ホームエージェント502は、RAN506、508とのデータ通信を促進するネットワークインターフェース510を含むことができる。ホームエージェント502は、装置504についてのIPネットワークにデータを転送し、装置504についてのそのようなネットワークからデータを受信し、モバイル装置504についてのIPプロクシとして働くことができる。ブロードキャストモジュール512は、RAN506、508の複数のアクセスゲートウェイに受信されたパケット通信の少なくとも一部をマルチキャストするために、ネットワークインターフェース510を使用することができる。RAN506、508を関連するシステムアドレスと、受信されたパケット通信によって識別されたホームIPアドレスとの間のMIPバインディングは、ホームエージェント502が適切なアクセスゲートウェイを識別することを可能にする。RAN506、508は、ブロードキャスト無線シグナルを含むモバイル装置504についてページングルーティンを開始することができる。モバイル装置504が無線シグナルを受信する場合、それは、アイドル状態から「覚める」ことができ、少なくとも１つのネットワーク506、508へ応答を送ることができる。応答は、例えば、モバイル装置504が通信を受信する準備ができていることを示すことができる。少なくとも１つの態様において、応答は、ホームエージェント502に転送されるべきバインディング更新（例えば、活動的ネットワークのCoAを含む）を含むことができる。モバイル装置504が多数のネットワーク506、508からページングシグナルを受信する場合、装置504は、通信を受信するためにネットワーク間で選択（例えば、受信されたシグナルの品質に基づいて）することができ、選択されたネットワークに応答することができる。
【００６２】
特定のネットワーク506、508に応答することによって、モバイル装置は、活動的ネットワークとしてそのようなネットワークを確立する。ホームエージェント502に転送されたバインディング更新は、この活動的ネットワークを識別することができる。特に、バインディング更新は、ホームエージェント502に転送されることがあるモバイル装置504によって活動的ネットワーク（例えば、RAN B 508）に送信されることがある。フィルタリングモジュール514は、モバイル装置504のホームIPアドレスにバウンドした他のネットワークから活動的ネットワークを区別することができる。主題の本開示の１つの態様において、バインディング更新は、活動的ネットワーク（例えば、508）によってモバイル装置504に割り当てられたCoAを含むことができる。ネットワークインターフェース510でバインディング更新を受信すると、フィルタリングモジュール514は、活動的ネットワークのCoAをホームIPアドレスにバウンドしたシステムアドレスと照合し、活動的ネットワークを識別することができる。受信通信の多数のネットワークへのマルチキャストに関連した非活動的ネットワーク（例えば、506）のページングリソースの使用を軽減するために、フィルタリングモジュール514は、モバイル装置のホームアドレスにバウンドしたMIPアドレスを更新することができる（例えば、フィルタリングモジュールは、ホームIPアドレスにマップされた非活動的CoAを削除、非活動化などをすることができ、）。ルーティングモジュール518は、その後、活動的ネットワークのみを介してモバイル装置504にアドレスされた次のデータ通信を提供することができ、チャネルリソースが他のアクティビティと再関連するように非活動的ネットワークを可能にする。
【００６３】
図６、７及び８は、主題の本開示の１つ以上の態様に応じるシステム間のアイドルの移動度管理の例を提供するブロック図600、700及び800を図示する。図600は、少なくとも１つのモバイル装置604についてのIPサービスを提供するモバイルIPホームエージェント602を含む。ホームエージェント602は、モバイル装置604との無線データの交換を提供する２つ以上の無線アクセスネットワーク606、608と通信で連結することができる。モバイル装置604の位置は、１つ以上のトラッキング／ロケーションエリア606C、606D、608C、608Dに関連した装置604と基地局（図示しない）との間の無線通信に基づいて、各ネットワーク606、608によって独立して維持される。多くの状況において、モバイル装置604は、装置604が１つのトラッキングエリア606C、606D、608C、608Dから他のものまで移動するとき、ならびに、装置604が最初のネットワークから他のものへと活動的ネットワークをスイッチするとき、ネットワーク（606、608）をシグナルする必要がある。しかしながら、ここで説明されるように、そのようなネットワークの両方と関連するシステムアドレス（またはCoA）でホームエージェントを更新することによって、モバイル装置604は、少なくとも活動的ネットワークが変化するとき、シグナリングの要求を除去することができる。
【００６４】
図600によって図示されるように、モバイル装置604は、そのようなネットワークのトラッキング／ロケーションエリアB 606Dにおいて最初のアクセスネットワーク606でネットワークアタッチを実行する。第１ネットワーク606は、そのような他の装置からモバイル装置604を区別するために、CoA（例えば、CoA1）を装置604に提供することができ、適切なトラッキング／ロケーションエリア（606C、606D）へのモバイル装置604について意図した通信を転送することができる。モバイル装置604は、バインディング更新を実行することができ、ホームエージェント602にCoAを転送するアクセスネットワークを要求する。ホームエージェント602は、CoA1を受信し、その後、CoA1をモバイル装置604に関連するホームアドレス（HoA）にバインドさせる。したがって、ホームアドレスにルートされたホームエージェント602によって受信された情報は、少なくともCoA1として示された第１ネットワーク606に転送されることがある。
【００６５】
少なくとも１つの態様において、それは、第１ネットワーク606において維持された装置の移動度情報が第２ネットワーク608に利用可能でないように、その逆も同様に、アクセスネットワーク606及び608が異なる移動体通信アーキテクチャ及び／又はアクセス方法などを含むことは理解されるべきである。例えば、ネットワーク606は、GSMネットワークであることに対して、ネットワーク608が符号分割多元接続（code division multiple access）(CDMA)ネットワークであることがある。他の例のように、第１ネットワーク606は、2Gサーキットスイッチ音声ネットワーク（circuit-switched voice network）（例えば）、GSM、CDMA,時間分割多元接続（TDMA））であることがあり、第２ネットワーク608は、
第３世代（3G）データ及び音声ネットワークまたは第４世代（4G）あるいはプリ4Gデータのみ（data-only）あるいは同様のネットワーク（例えば、マイクロ波接続用ワールドワイドインターオペラビリティ（orldwide interoperability for microwave access）（WiMAX）、ウルトラモバイルブロードバンド（ultra mobile broadband）（UMB）、UMTSロングタームエボリューション(long term evolution)（LTE））などであることがある。これは、そのような態様において、モバイル装置604が少なくとも異なるアーキテクチャ（例えば、マルチモードチップセットを介して）のそのようなネットワークの２つと通信するように構成されていることが理解されるべきである。
【００６６】
図７において、モバイル装置604による第２アクセスネットワーク608へのアタッチを示すブロック図700が示されている。特に、モバイル装置604は、そのようなネットワーク608のトラッキング／ロケーションエリアA 608Cにおいて第２無線アクセスネットワーク608にアタッチすることができる。第２CoAは、第２ネットワーク608によって提供され、CoA2はホームエージェント602にバインディング更新を介して転送される。ホームエージェントは、その後、CoA1に加えて、モバイル装置604のホームアドレスをCoA2とバインドする。したがって、ホームエージェント602は、少なくとも２つのネットワーク606、608で同時にモバイル装置と関連することができる。したがって、モバイル装置604が第１ネットワーク606または第２ネットワーク608にアタッチされているかどうか／第１ネットワーク606または第２ネットワーク608で活動的かどうかに関わらず、ホームエージェント602は、そのような装置604にデータ通信を転送する手段を有する。
【００６７】
それは、第２ネットワーク608のトラッキング／ロケーションエリア（608C、608D）が第１ネットワーク606のトラッキング／ロケーションエリア（606C、608D）と地理的に部分的に重なることができることが理解されるべきである。したがって、モバイル装置604は、他のネットワーク（606、608）と独立して、各ネットワーク（例えば、ネットワーク606に関連して606D及びネットワーク608に関連して608D）と関連して一つのトラッキング／ロケーションエリアに残ることができる。さらに、装置604は、１つのネットワーク（例えば、606）に関連して第１トラッキングエリアから第２まで移動することができるが、他のネットワーク（例えば、608）に関連して一つのエリアに残ることができる。さらに、ネットワーク606は、ネットワーク608に関連してモバイル装置604のステータスに関して情報を有する必要はない、その逆も同様に。ネットワークの独立にも関わらず、モバイル装置604は、ネットワークに関連して共通のトラッキングエリア内において残る限り、ネットワークのいずれもシグナルする必要はない。さらに、モバイル装置604がシステム２トラッキング／ロケーションエリアA 608Cからシステム２トラッキング／ロケーションエリアB 608Dに移動するが、システム１トラッキング／ロケーションエリアB 606Dにおいて残る場合、モバイル装置604は、ネットワーク２をシグナルすることができるが、ネットワーク１をシグナルする必要はない（例えば、システム１によって維持されるレジストレーションタイマーの終了を防ぐため以外、あとの図９を参照）。
【００６８】
図８は、モバイル装置604に受信されたデータ通信を転送するために、ホームエージェント602によって開始されたマルチキャストページング事象のブロック図800を示す。特に、ホームエージェント602は、モバイル装置604のホームアドレスを識別するデータを受信する。ホームアドレスと関連するMIPバインディングを参照することによって、ホームエージェント602は、第１ネットワーク606と関連するCoA1、及び、第２ネットワーク608と関連するCoA2を識別することができる。ホームエージェント602は、モバイル装置604にデータを転送するために、システム１ゲートウェイ606B及びシステム２ゲートウェイ608Bに受信されたデータ、これらの部分またはこれらに関連した情報を提供する。ネットワークゲートウェイ（606B、608B）は、ページング及びトラッキングシステム606A、608Aによってそれぞれのネットワーク606、608においてページングルーティンを開始することができる。ページング及びトラッキングシステム606A、608Aは、モバイル装置604に関係のあるネットワークレジストレーション情報を参照し、そのような装置604についての最後に既知のロケーション／トラッキングエリア（606D、608C）を決定する。適切なロケーション／トラッキングエリア606D、608Dは、それぞれ、モバイル装置604についての入力コールが受信されたことを示すページングシグナルをブロードキャストする。したがって、モバイル装置604がシステム１トラッキング／ロケーションエリアB 606Dまたはシステム２トラッキング／ロケーションエリアA 608Cのいずれか内において通常またはまだ動作している限り、それは、1つ以上のページングシグナルを受信するべきである。
【００６９】
図800において図示するように、モバイル装置604は、システム２トラッキング／ロケーションエリアA 608Cからページングシグナル（点線入りの矢印）を受信する。アイドル状態において受信されたシグナルを処理しているとき、モバイル装置604は、入力コールを受信するために、「アイドル」モードを終了することができる。装置604は、そのようなネットワーク（例えば、第２ネットワーク608）で活動的になるために、１つ以上のネットワーク606、608に応答することができる。装置604は、活動的ネットワーク（608）を識別するのに適切なホームエージェント602に情報を提供するように構成されることがある。１つの態様において、情報は、活動的ネットワーク（例えば、CoA2）と関連したCoAを含むことができる。他の態様において、情報は、非活動的ネットワーク（例えば、CoA１）のCoAを含むことができる。少なくとも１つの他の態様において、情報は、活動的ネットワーク及び非活動的ネットワークのCoAを含むことができ、活動的CoA及び／または非活動的CoAを区別することができる。
【００７０】
一度、ホームエージェントがバインディング更新を受信すると、活動的ネットワークのCoAは、決定される。アドレスバインディング、HoA -> CoA 1, CoA 2は、そのような決定に基づいて更新される。例えば、非活動的アドレスは、ホームアドレスにアドレスされた次の通信が活動的ネットワークのみに転送されるように、削除、非活動化などされることがある。アドレスバインディングが更新された後、ホームエージェント602は、非活動的ネットワーク（606）に、そのようなネットワークのチャネルリソースを保存するために、すべてのさらなる情報を送ることを差し控える。少なくとも１つの態様において、ホームエージェント602は、非活動的ネットワークにおいて転送されたメッセージが終了されるべきであることを示す非活動的ネットワーク（606）にメッセージを送信することができる。したがって、ネットワーク606は、モバイル装置604について受信されたデータを廃棄することができる。
【００７１】
少なくとも本開示のさらなる態様において、ネットワーク606及び608は、装置（604）がページング事象に応答することに失敗した場合に、モバイル装置604のCoAを削除しないように構成することがある。したがって、システム間の移動度は、モバイル装置604にデータを転送するためにホームエージェント602が複数のネットワーク606、608を使用するとき、失敗したページング事象にも関わらず維持することができる。したがって、上記説明したシナリオにおいて、第１ネットワーク606は、システム１トラッキング／ロケーションエリアB 606Dにおいてページング応答が受信されていないという事実にもかかわらず、モバイル装置604に関連したCoA１を維持するだろう。代わりに、第１ネットワーク606は、モバイル装置についてのそのようなネットワーク606にレジスターされたレジストレーションカウンターを維持することができ、レジストレーションカウンターが終了するときにCoAを削除することができる。したがって、アドレスバインディングは、ホームエージェント602において、少なくともそれぞれのネットワークによってバウンドMIPと関連したネットワークレジストレーションカウンターが維持されている限り、有効にとどまることができる。
【００７２】
図９は、モバイル装置902を含むシステム900の例のブロック図を示す。モバイル装置902は、マルチチップセット908を介して、異なるモバイルネットワーク、異なるネットワークアーキテクチャ（例えば、2G、3G、3GPP、3GPP2、プリ4G、4Gなど）、異なるネットワーク技術（例えば、周波数分割多重（FDM）、直交周波数分割多重（OFDM）、直交周波数分割多元接続（OFDMA）、CDMA、TDMA及び／またはなど）などと関連する１つ以上の基地局と無線で連結するように構成されることがある。マルチモードチップセット908は、当業者に知られているように、様々なモバイルネットワーク及び／またはネットワークアーキテクチャ及びアクセス技術との通信に適した様々な受信機910、復調器912及びプロセッサ914を含むことができる。
【００７３】
モバイルハンドセット902は、シグナル（例えば、モバイルハンドセット902に割当てられたシステムアドレスを使用する基地局904によって送信されたページング事象）を受信する少なくとも１つのアンテナ906（例えば、送信受信機または入力インターフェースを含むそのような受信機のグループ）及び受信機910を含み、それは受信されたシグナルで典型的なアクション（フィルター、増幅、ダウンコンバートするなど）を実行する。少なくともある態様によれば、プロセッサ914は、復調器912から受信されたシグナルを分析し、分析されたシグナル（例えば、そのようなシステムIPアドレスは、独立して少なくともある態様に応じて装置移動度を管理するネットワークと関連することができる）からのモバイルハンドセット902と無線で連結されたモバイルネットワークによって割り当てられたシステムIPアドレスを得ることができる。一般的に、アンテナ906及び送信機930（正確にはトランシーバと呼ばれる）は、基地局904との無線データの交換を促進するように構成されることがある。
【００７４】
アンテナ906及び受信機910は、さらに、受信されたシンボルを復調し、評価のためにそれらをプロセッサ914に提供することができる復調器912と連結することができる。それは、プロセッサ914がモバイルハンドセット902の１つ以上のコンポーネント（906、910、912、916、924、926）を制御及び／または参照することができる。さらに、プロセッサ914は、情報を含む、または、モバイルハンドセット902の機能の実行を適切に制御する１つ以上のモジュール、アプリケーション、エンジンなど（918、920、922）を実行することができる。例えば、そのような機能は、ここで説明されているように、「アイドル」モードに入ること／去ること、リモートソース（904）からデータを受信すること、モバイルハンドセット902についての入力通信を識別する受信されたデータを復号化することと、受信されたデータからネットワークルーティング情報（例えば、１つ以上のシステムアドレスまたはCoA）を抽出すること、モバイル装置をサーブするネットワークIPエージェントにルーティングアドレスに転送すること、多数のネットワーク（904）によって発行されたCoAについてのレジストレーションカウンターを維持することなどを含むことができる。
【００７５】
モバイルハンドセット902は、プロセッサ914に有効的に連結されたメモリ916をさらに含むことができる。メモリ916は、送信、受信などされるべきデータ、リモート装置（904）との無線通信を行うのに適切な命令を記憶することができる。さらに、メモリ916は、前述のプロセッサ914によって実行されたモジュール、アプリケーション、エンジンなど（918、920、922）を記憶することができる。
【００７６】
ある態様によれば、プロセッサ914は、上記に言及されたように、様々なモバイルネットワークからの多数のシステムIPアドレスを得ることができる。プロセッサ914は、さらに少なくとも１つの送信プロセッサを含むことができる、それはネットワークルーティング装置（図示しない）に基地局904を介して１つ以上の多数システムIPアドレスを提供する変調器928及び送信機930を使用する。ルーティング装置は、モバイルハンドセット902について維持されたホームアドレスIPアドレスに多数のIPアドレスをバインドする構成に基づいて選択されることがある。さらに、モバイルハンドセットは、活動的アドレスとして多数のアドレスのうち１つを識別するために、ネットワークルーティング装置を（例えば、プロセッサ914、変調器928及び送信機930を介して）更新する活動化モジュール920を含むことができる。活動的アドレスは、通信モジュール918によって選択されることがある、それはシステムアドレス（例えば、システムアドレスを含む受信されたシグナル）と関連する受信されたシグナルのシグナル特徴（例えば、シグナル強度、シグナル妨害、平均パワー比のピークなど）に選択を基づかせることができる。
【００７７】
さらに他の態様によれば、プロセッサ914は、音声及び／またはデータ通信をアンテナ906において受信されたページング事象に基づいて特定のネットワーク（904）を活動化することができる。例えば、プロセッサ914は、ページング事象がモバイルハンドセット902についての入力通信を示すページング事象を決定することができる。したがって、ページングネットワーク（904）との通信を活動化することは、基地局904（活動化されたネットワークと関連する）を介してハンドセット902に通信（例えば、ネットワークルーティングエージェントによる）をルーティングすることを促進することができる。
【００７８】
前述のものに加えて、ネットワークシグナル品質が変化することができるため、及び／または、効率的に受信するためにはあまりにも遠隔になることあるため、モバイルハンドセット902は、活動的ネットワークを第１ネットワークから第２ネットワークまでスイッチするように構成されることがある。したがって、通信モジュール918は、受信されたシグナルの特性をモニターすることができ、特性を１つ以上のしきい値と比較することができる。特性（例えば、シグナル強度、妨害など）が第１ネットワークと関連したシグナルのセットについてのしきい値以下に落ちたとき、及び、第２ネットワークと関連した他のシグナルのセットのしきい値以上に上がったとき、通信モジュール918は第２ネットワークと関連したCoAを活動化することができる。活動化モジュールは、バインディング更新を新しく活動化されたCoAを含むネットワークルーティング装置に送信することができる。したがって、アンテナ906、受信機910及びプロセッサ914は、新しく活動化されたCoAを介してネットワークルーティング装置によってルートされた次のデータパケット通信を受信することを始めるだろう。
【００７９】
入力コールが終了するとき、モバイルハンドセット902は、アイドルモードに戻ることができ、ここでマルチモードチップセット908は、アンテナ906によって受信された情報の小片（例えば、ここで情報の小片は、モバイルネットワークのトラッキング／ロケーションエリアを識別する、及び／または、インバンド通信を識別する情報をページングする同期情報を含むことができる。）のみの処理によってパワーを保存する。アイドルモードに入る前のシステム間の移動度トラッキングを再確立するために、活動化モジュール920は、モバイルハンドセット902に関連したルーティングエージェントについてのバインディング更新を含む基地局904にトランスミッションを送信することができる。バインディング更新は、ルーティングエージェントにおいて削除／非活動化されるCoAを含むことができる（必要に応じて、そのような各CoAに関連したレジストレーションカウンターが終了されていないという条件に基づく、下記を参照）。したがって、ルーティングエージェントは、さらなる通信を促進するために、削除された／非活動化されたCoAをモバイルハンドセット902のホームアドレスに再バインドすることができる。
【００８０】
１つ以上のさらなる態様によれば、モバイルハンドセット902は、さらにタイミングモジュール922を含むことができる。タイミングモジュール922は、特定のモバイルネットワーク（904）によって提供されたCoAについてのレジストレーションカウンターを維持することができる。ある態様において、CoAは、モバイルハンドセット902が現在アタッチされていない非活動的CoAであることがある。他の態様において、タイミングモジュール922は、異なるモバイルネットワークからのモバイルハンドセット902によって得られた各CoAについてのレジストレーションカウンターを維持することができる。さらに、レジストレーションカウンターは、そのような各ネットワークでモバイルハンドセット902のレジストレーションを維持するために使用され、それぞれのモバイルネットワークによって維持された同様のカウンターと一致することができる。ネットワークによって維持されたレジストレーションカウンターが終了したとき、そのネットワークとさらに通信するために再アタッチメント（及び関連したシグナリング）を要求し、ハンドセット902についてのレジストレーションが削除される。モバイルハンドセット902における同様のレジストレーションカウンターを維持することによって、タイミングモジュール922は、CoAがネットワークを提供することによってレジスターされているがどうか、そのようなレジストレーションがどれくらい長く継続するだろうかを判断することができる。
【００８１】
前記のものに加えて、タイミングモジュール922は、そのようなネットワークに関係するレジストレーションカウンターが終了のしきい値の期間内にある場合、特定のネットワークに関連した基地局（904）へのシグナルを開始することができる。ネットワークをシグナルすることによって、そのようなネットワークによって提供されたCoAがさらなる期間に活動的のままであることを保障し、ネットワークによって維持されたレジストレーションカウンターは、リフレッシュされることがある。モバイルハンドセット902は、ターミナルモジュール922によって維持されたレジストレーションカウンターを介してネットワークルーティングエージェントによってハンドセット902のホームアドレスにバウンドするCoAアドレスの有効性を決定することができる。タイミングモジュール922がレジストレーションカウンターをリフレッシュするためにネットワークをシグナルすることが不可能である場合、タイミングモジュール922によって維持されたマッチングカウンター及び関連したCoAは、カウンターの終了でモバイル装置902によってキャンセルされることがある。活動化モジュール920は、終了したCoAの削除を要求するルーティングエンティティにバインディング更新を送信することができる。したがって、モバイルハンドセット902は、基地局904との無線通信を介して活動的／非活動的／終了されたCoAを管理することができる。
【００８２】
図１０は、主題の本開示の態様に応じる基地局1002及び１つ以上のモバイル装置1004を含むシステム100の例のブロック図を図示する。主題の本開示の少なくとも１つの態様において、基地局1002は、そのようなネットワークにローカルなデータ通信を促進するためにモバイルネットワークをサーブすることによって生成し、１つ以上のモバイル装置1004に別個のCoAを提供することができる。さらに、基地局1002は、ネットワークによってサーブされた地理的エリア内においてモバイル装置1004に関するモバイルネットワークについてページング機能を提供することができる（例えば、図１及び図２を参照）。基地局1002は、応答がターゲットモバイル装置によって受信されるまで、ページング終了コマンドがモバイルネットワークから受信されるまで、または、基地局1002によって維持された終了タイマーが終了されるまで、または、これらの組み合わせまで、ページングシグナルのブロードキャストを持続することができる。特定の対応によれば、基地局1002は、基地局1002によってサーブされたトラッキング／ロケーションエリアに関するモバイル装置についてのレジストレーションカウンターを維持することができる。さらに、レジストレーションカウンターは、モバイル装置がページング事象への応答に失敗しても、維持されることがある。したがって、システム1000は、他のシステム（図示しない）と独立して装置1004をページングすることによってシステム間の移動度を促進し、失敗したページング応答にもかかわらず装置レジストレーションを維持する（例えば、ここで、モバイル装置は、他のシステムのページに応答する）。
【００８３】
基地局1002（例えば、アクセスポイント）は、複数の受信アンテナ1006を介して１つ以上のモバイル装置1004からのシグナル及びオーバーエア（over-the-air）(OTA)メッセージを受信する受信機1010、及び、送信アンテナ1008を介して１つ以上のモバイル装置1004にOTAメッセージを送信する送信機1026を含むことができる。受信機1010は、受信アンテナ1006から受信した情報を受信することができ、さらにモバイル装置1004によって送信されたアップリンクデータを受信するシグナル受信者（図示しない）を含むことができる。さらに、受信機1010は、受信された情報を復調する復調器1012と有効的に関連する。復調されたシンボルは、基地局1002によって提供された機能に関連した情報を記憶するメモリ1016に連結したプロセッサ1014によって解析される。例えば、記憶された情報は、モバイル装置1004からのページング応答をページング及び受信するためのプロトコルを含むことができる。特に、記憶された情報は、ページへの応答を受信していないにもかかわらず、そのような装置1004についてのネットワークレジストレーションを維持するためのルールを含むことができる。少なくとも１つの態様において、情報は、１つ以上のモバイルネットワークでレジスターされた装置1004についてのレジストレーションカウンターを維持することと、レジストレーションの状態をレジストレーションカウンターの状態にマッチングさせることと、に関連することができる。
【００８４】
プロセッサ1014は、モバイル装置を基地局1002と関連するモバイルネットワークとレジスターすることができるトラッキングモジュール1018にさらに連結されている。通信モジュール1020は、基地局1002によってサーブされたロケーションエリア内において基本的にモバイル装置をページするために、基地局1002のトランシーバ（1010、1026）を使用することができる。さらに、活動モジュール1022は、ページへの無応答が受信された場合、ページされたモバイル装置1004についての状態をロケーションエリアに関してアイドルに設定することができる。それは、アイドルモードは、モバイルネットワークでのモバイル装置1004のレジストレーションをキャンセルされないことが理解されるべきである。したがって、上記に説明されたように、基地局1002は、ページへの無応答が受信されたときさえ、そのようなレジストレーションを維持することができる。
【００８５】
少なくとも１つの態様において、トラッキングモジュール1018は、各モバイル装置1004についてのロケーションエリア更新タイマーを維持することができる（有効的に、基地局1002は、基地局1002によってサーブされた各モバイルネットワークについての少なくとも１つのロケーション更新タイマーを維持することができる、ここで基地局1002は１つを越えるネットワークへ無線アクセスを提供する）。更新タイマーは、モバイルネットワークでモバイル装置がレジスターされた後の時間のしきい値の期間について維持されることがある。さらに、トラッキングモジュール1018は、レジスターされたモバイル装置1004からの適切なシグナルを受信することによりタイマーをリフレッシュすることができる。更新タイマーが終了する場合、レジストレーションは、その後に削除されることがあり、したがって、そのようなレジストレーションにアドレスされた基地局1002において受信されたデータは無視されることがある。
【００８６】
さらなる態様によれば、モバイル装置1004から受信されたシグナルは、そのような装置1004と関連するロケーション更新タイマーと対照して参照されることがある。更新タイマーを参照することは、適切にそのようなシグナルを処理すること、及び／または、装置1004をレジスターすることを援助することがある。したがって、アンテナ1006及び受信機1010が特定のモバイル装置1004によって開始されたシグナルを得る場合、活動モジュール1022は、更新タイマーを参照することができる。タイマーが終了しない場合、モバイル装置の状態は、受信されたシグナルに基づいて活動的に設定されることがある。タイマーが終了した場合、活動モジュール1022は、ターゲットモバイルネットワークでのモバイル装置1004の再レジストレーションを開始することができる。したがって、モバイル装置1004についてのレジストレーションカウンターを維持し、ページング応答（またはそれの不足）ではなくカウンターに基づいたそのような装置1004についての活動的／アイドル／終了したレジストレーション状態を確立することにより、マルチシステムページングは、システム間の関係を終了することなくネットワーク装置（例えば、モバイル装置1004をサーブするホームIPエージェント）によって実行されることがある。これは、モバイル装置1004が最小のシグナリングでシステム間をスイッチすることを可能にする。例えば、シグナリングは、終了タイマー（例えば、予期されたまたは提供された装置1004のバッテリー寿命の一部に基づいて、比較的長い期間に設定されることがあり、）をリフレッシュする、または、トラッキング／ロケーションエリアを更新するためにのみ要求されるかもしれない、モバイル装置1004においてアイドルモードパワー消費を低減する。
【００８７】
前述のシステムは、いくつかの要素、モジュール、及び／または通信インターフェース間の相互作用に関して記述された。それは、そのようなシステム及び要素／モジュール／インターフェースは、ここに特定されたこれらの要素またはサブ要素、ある特定の要素またはサブ要素及び／または更なる要素を含むことが理解されるべきである。例えば、システムは、少なくともモバイルIPホームエージェント、相関モジュール410、IPインターフェース406、ネットワークインターフェース404及びフィルタリングモジュール514またはこれらの及び他の要素の異なる組み合わせを含むことができる。サブ要素は、さらに、親要要素内において含まれるのではなく他の要素に通信で連結された要素としてインプリメントされることがある。さらに、それは、１つ以上の要素が総合の機能性を提供する単一の要素を組み合わせることができるかもしれないことが注目されるべきである。例えば、ルーティングモジュール518は、単一の要素を介してマルチキャスト送信を使用して受信されたデータ通信の転送を促進するために、ブロードキャストモジュール512を含むことができる、またその逆も同様に。要素は、ここで特に説明されていないが当業者によって知られている１つ以上の他の要素とさらに連係してもよい。
【００８８】
さらに、理解されるように、開示された上記のシステム及び下記の方法の様々な部分は、人工知能または知識またはルールに基づいた要素、サブ要素、プロセス、手段、方法あるいはメカニズム（例えば、サポートベクトルマシン（support vector machine）、ニューラル(neural)ネットワーク、エキスパートシステム、ベイズの確信ネットワーク(Bayesian belief network)、ファジー(fuzzy)ロジック、データフュージョン(fusion)エンジン、クラシファイヤー(classifier)など）を含むまたは構成されることがある。そのような要素は、特に、ここですでに説明されたことに加えて、システム及び方法の部分を効率的及び知的である同様に、より適応性のあるようにせるため、そのために実行された特定のメカニズム及び処理を自動化することができる。
【００８９】
前に説明された典型的なシステムを考慮して、説明された主題事項に応じてインプリメントされることが方法は、図１１〜１４のフローチャートに関連してより理解されるだろう。さらに、説明の簡略化の目的のために、方法は連続したブロックとして示され、説明されている、これは要求された主題事項がいくつかのブロックが異なる順番及び／または他のブロックと同時発生してもよいため、ブロックの順番によって限定されていないことがここで図示され、説明されたことから熟知及び理解されるべきである。さらに、すべての示されたブロックが下記に説明された方法を実行するために要求されないことがある。さらに、それは、下記に開示され及び明細書の全体にわたって説明された方法は、そのような方法をコンピュータに移送、転送することを促進するために、製品に記憶されることが可能であることがさらに理解されるべきである。製品という用語は、使用されるように、任意のコンピュータ可読装置、キャリアと結合した装置、または記憶媒体からアクセス可能なコンピュータプログラムを包含することが意図される。
【００９０】
図１１は、主題の本開示の１つ以上の態様に応じるシステム間のアイドルの移動度管理を提供するための方法1100の例のフローチャートを示す。1102において、方法1100は、
モバイル装置についての多数のMIPバインディングを受信することができる。MIPバインディングは、それぞれ別個のモバイルネットワークによって生成されたCoAを含むことができる。CoAは、例えば、モバイル装置をサービングするモバイルネットワークを識別し、特定のモバイルネットワークで多数のモバイル装置の中で区別し、そのような装置にネットワークゲートウェイで受信されたデータ通信をルーティングし、及び／またはそのような機能を促進することができる。
【００９１】
1104において、方法1100は、モバイル装置に関連したホームアドレスに１つ以上のMIPバインディングのシステムアドレスをマップすることができる。１つの態様において、各システムアドレスは、ホームアドレスにマップされる。ホームアドレスにアドレスされた受信されたデータ通信は、ホームアドレスにバウンドしたモバイルネットワークシステムアドレスを決定するためにアドレスマップを参照することができる。
【００９２】
1106において、方法1100は、受信されたパケット通信のモバイル装置に通知するために、複数のMIPバインディングを使用することができる。上記に説明されたように、受信されたパケット通信は、ターゲットアドレスとしてホームアドレスを含むことができる。MIPバインディング及びホームアドレスに関連したシステムアドレスを識別し、そのようなシステムアドレスを発行するモバイルネットワークを識別した後に、受信されたパケット通信は、モバイル装置へのパケット通信のルーティングを促進するために、少なくとも複数の識別されたモバイルネットワークに転送されることがある。それは、方法1100によれば、多くの状況において、どの多数のネットワークのモバイル装置が通信で連結されているか決定することは重要ではないことが理解されるべきである。そのようなネットワークが複数の識別されたモバイルネットワークにおいて含まれている限り、通信はモバイル装置にルートされることがある。したがって、モバイル装置は、様々なネットワークで通信する活動化する通信と関連するシグナリングを著しく低減することができる。
【００９３】
図１２は、アイドルモード移動度を管理し、システム間のマルチモード環境においてデータ通信を促進するための方法1200の例のフローチャートを図示する。1202において、方法1200は、MIPバインディングを受信し、モバイル装置(UE)のホームアドレスに多数のMIPバインディングをマップすることができる。MIPバインディングは、それぞれモバイルネットワークによってモバイル装置に提供されたCoAまたはローカルシステムアドレスを含むことができる。1204において、方法1200は、ホームアドレスに送信されたダウンロードパケット通信を受信することができる。MIPバインディングは、ホームアドレスと関連したシステムアドレスを決定するため、及び／または、モバイル装置に潜在的にアタッチされたモバイルネットワークを識別するために参照されることがある。
【００９４】
1206において、方法1200は、複数の多数のモバイル装置においてモバイル装置についてのページングを開始することができる。1208において、モバイル装置から発生されたシグナルは、受信されることがある。1210において、モバイル装置と連結された活動的モバイルネットワークは、受信されたシグナルから識別されることがある。1212において、方法1200は、モバイル装置のホームアドレスにバウンドした非活動的システムアドレスを移すために、MIPバインディングマップを更新することができる。非活動的システムアドレスに送信されたデータは、非活動的モバイルネットワークのチャネルリソースを保存するために、更新されたバインディングに基づいて終了されることがある。1214において、ダウンロード通信は、活動的システムアドレスを介して活動的モバイルネットワークに転送されることがある。1216において、さらなるシグナルは、モバイル装置から受信されることがある。シグナルは、そのコンテントを決定するために解析されることがある。さらなるシグナルがさらなるシステムアドレスを含む場合、アドレスは、1218において、さらなるシグナルにおいて含まれた命令に基づいて、または、さらなるシステムアドレス及びホームアドレスの現在の関係に基づいて、ホームアドレスにバウンドされることがある（または、例えば、ホームアドレスから未バウンドされる）。例えば、受信されたシステムアドレスがすでにホームアドレスにバウンドされている場合、未バウンドされることがある（例えば、活動的ネットワークを介して通信の確立を促進するために）；受信されたシステムアドレスがホームアドレスにバウンドしない場合、それにバウンドされることがある（例えば、複数のネットワークにモバイル装置をページングすることを促進するために）。
【００９５】
図１３は、システム間の移動度管理を促進するための方法1300の例のフローチャートを示す。方法1300は、1302において、多数のモバイルネットワークからの多数のMIPバインディングを得ることができる。MIPバインディングは、それぞれモバイル装置にモバイルネットワークの１つによって提供されたシステムIPアドレスを含むことができる。ネットワークは、少なくともそのようなモバイルネットワークのアイドルモードが少なくとも他のモバイルネットワークから独立して維持されるように、異なるアクセスメカニズム（例えば、CDMA、TDMA、OFDMなど）またはアーキテクチャであることがある。1304において、方法1300は、ネットワークIPルーターを更新することができ、システムIPアドレスをネットワークIPルーターに提供することができる。IPルーターは、ここで説明されたように、モバイル装置についてのIPインターフェースをIPネットワークに提供するためにモバイル装置のホームIPアドレスにシステムIPアドレスをバインドするネットワークモジュールであることがある。
【００９６】
1306において、方法1300は、ネットワークIPルーターに提供される少なくとも１つのシステムIPアドレスを介してシステムページング事象を受信することができる。1308において、方法1300は、ページング事象と関連したデータ通信を受信するモバイルネットワークで選択することができる。選択は、ネットワークとの無線通信の品質、シグナル妨害、シグナル強度、及び／又は同様のものなどの様々な適切な基準に基づくことがある。方法1300は、1310において、システムIPアドレス中の活動的アドレスを識別するためにネットワークIPルーターを更新することができる。更新は、活動的システムアドレスIPアドレスを識別する、または、非活動的システムIPアドレス（例えば、バインディングからモバイル装置のホームIPアドレスへと移動されることがある）を識別する、または両方のシグナルを含むことができる。
【００９７】
1312において、方法1300は、少なくとも１つ以上の非活動的システムIPアドレスについてのトラッキングカウンターのレジストレーションを維持することができる。ある態様において、レジストレーショントラッキングカウンターは、ネットワーク要素によって維持された同様のカウンターと一致することができる。1314において、方法1300は、そのようなネットワークでのレジストレーションを維持するために、非活動的モバイルネットワークをシグナルすることができる。シグナルは、しきい値終了値に対するレジストレーションカウンターの値に少なくとも一部分に基づくことができる。例えば、レジストレーションカウンターがしきい値レベルの終了内にある場合、シグナルは、そのようなモバイルネットワークでのレジストレーションを維持するために送信されることがある。
【００９８】
1316において、方法1300は、非活動的システムアドレスでネットワークIPを更新することができる（例えば、通信の終了と同時に）。システム間の移動度管理を再確立するために、非活動的システムアドレスをIPルーターにおけるホームIPアドレスで再バインドすることを促進することができる。続いて、関連したモバイル装置は、無線のシグナリング及びパワーの保存を低減するために、例えば、参照番号1308においてデータ通信が受信されたとき、アイドルモードに入ることができる。モバイル装置は、ネットワークをシグナルする必要なしに、（例えば、ここで説明されるようなネットワークでレジストレーションカウントをリフレッシュするため以外）バウンドアドレスに関連したモバイルネットワークから他のそのようなネットワークにスッチすることができる。
【００９９】
図１４は、無線通信環境におけるモバイル装置についてのシステム間アイドル移動度を促進するための方法1400のサンプルのフローチャートを図示する。1402において、方法1400は、モバイルネットワークでモバイル装置をレジスターすることができる。レジストレーションは、モバイル装置とモバイルネットワークとの間の音声、及び／または、通信を促進することと関連するモバイル装置からシグナルを得ることに基づくころがある。1404において、方法1400は、ロケーションエリア内において、モバイル装置をページすうことができる。ページは、モバイルネットワークによって、モバイル装置と関連したシステムアドレスを含む通信データの受信に基づいて開始されることがある。1406において、方法1400は、ページへの無応答が受信された場合、モバイル装置についての装置状態をアイドルに設定することができる。したがって、モバイル装置のレジストレーションは、ページング応答を受信することの失敗に基づいて終了する必要はない。ある態様において、レジストレーションカウンターは、ページング応答またはそのような応答の不足に無関係に、モバイル装置のレジストレーションについての終了時間を決定するモバイル装置について維持することができる。ある態様によれば、方法1400は、タイマーの終了の前にモバイル装置からシグナルが受信される場合、レジストレーションカウンターをリフレッシュすることができる。したがって、モバイル装置は、最小のシグナルの要求でレジストレーションを維持することができ、そのような装置についてのアイドルモードにおけるパワーの消費を著しく低減することができる。
【０１００】
図１５は、モバイル装置についてのシステム間のアイドルの移動度管理を提供することができるシステム1500の例のブロック図を図示する。さらに、システム1500は、移動度を管理している間に、モバイル装置と関連したモバイルネットワークとの間の低減されたシグナルを促進することができる。システム1500は、モバイル装置と関連した多数のMIPバインディングを受信するためのモジュール1502を含むことができる。バインディングは、モバイル装置によって発生され、モジュール1502において受信された１つ以上の無線シグナル介して受信されることがある。さらに、MIPバインディングは、そのような装置とのデータ通信を促進するために、モバイル装置に提供されたシステムアドレスを含むことができる。システム1500は、さらに、MIPバインディングを提供するモバイル装置のホームアドレスへのMIPバインディングに含まれたシステムアドレスをマッピングするためのモジュール1504を含むことができる。さらに、システム1500は、受信されたパケット通信のモバイル装置に通知するために、複数のバインディングを使用するモジュール1506を含むことができる。１つの例として、モジュール1506は、複数のシステムアドレスに関連した複数のモバイルネットワークに、通信あるいは通信に関連したデータの部分を転送することができる。転送されたデータ／通信は、モバイル装置に通信を転送することを促進するために、モバイルネットワークのそれぞれにおいてページングルーティンを開始することができる。それは、システム1500は、受信者であるモバイル装置が、そのような装置が１つのネットワークと別のネットワークとの間でスイッチし、そのようなネットワークの共通のトラッキング／ロケーションエリア内にまだとどまる場合などの多くの状況においてモバイルネットワークのシグナリングを防ぐことを可能にすることができることが理解されるべきである。
【０１０１】
図１６は、マルチモードモバイル環境におけるモバイル装置についてのアイドル移動度管理を促進するシステム1600の例のブロック図を示す。システム1600は、リモートサービスで無線通信を実行するのに適切な命令を記憶するためにモジュール1602を含むことができる。さらに、システム1600は、モバイル装置の移動度を独立して関しするモバイルネットワークから多数のシステムIPアドレスを得るためにモジュール1604を含むことができる。システムIPアドレスは、そのようなネットワークと通信するためのレジストレーションの結果として得られることがある。さらに、システム1600は、多数のアドレスをモバイル装置のホームIPアドレスに多数のアドレスをバインドするネットワークルーティング装置にモジュール1606を含むことができる。さらに、システム1600は、活動的システムアドレスでネットワークルーティング装置を更新するためにモジュール1608をさらに含むことができる。活動的アドレスは、その後、モバイル装置へのデータ通信を転送するために使用されることがある。
【０１０２】
図１７は、モバイル装置についてのアイドル管理をさらに促進するシステム1700のブロック図を図示する。システム1700は、OTAメッセージをブロードキャストするためにモジュール1702を含むことができる。モジュール1702は、そのようなメッセージをセルのサイトに（例えば、変調器、送信機及び1つ以上の送信アンテナを使用して）ブロードキャストすることができる。さらに、モジュール1702は、OTAメッセージ応答をリモート装置（例えば、セルのサイト内における１つ以上のモバイル装置）から（例えば、受信機、復調器及び１つ以上の受信アンテナを使用して）受信することができる。
【０１０３】
システム1700は、モバイル装置をモバイルネットワークでレジスターするためのモジュール1704をさらに含むことができる。モジュール1704は、例えば、モジュール1702において受信されたOTAメッセージからモバイル装置ID情報（例えば、装置を他の装置中で識別するため）、ユーザプロファイル情報（例えば、アカウント情報を確認し及び充電／課金を管理するため）、及び／または同様のものを得ることができる。そのような情報は、モバイルネットワークに転送することができる。さらに、モジュール1704は、モバイルネットワークによって割当てられたCoAまたはシステムアドレス／システムIPアドレスを得ることができ、CoAをモバイル装置に転送することができる。
【０１０４】
前述に加えて、システム1700は、システム1700によってサーブされたロケーションエリア内においてモバイル装置をページングするためのモジュール1706を含むことができる。モジュール1706は、モジュール1702において受信されたOTAメッセージに基づいて、ページへの応答がシステム1700によって得られたかどうかを決定することができる。無応答が受信された場合、モジュール1708は、モバイル装置についての状態をロケーションエリアに関してアイドルに設定することができる。「アイドル」状態は、通信をさらに促進するのに適切なとき、CoAを提供するモバイルネットワークと共通することができる。少なくともある態様において、モジュール1708は、モバイルネットワークとのモバイル装置のレジストレーションと関連するレジストレーションカウンターをさらに維持することができる。モジュール1708は、ある態様に応じて、モバイル装置からのシグナルを受信することなく終了カウンターが終了する場合、削除メッセージをネットワークに送信することができる。したがって、システム1700は、ページング応答に関わらずモバイル装置についてのレジストレーションを維持することができ、代わりにレジストレーションを「タイムアウト（time out）」するためにレジストレーションカウンターを使用することができる。したがって、モバイル装置は、レジストレーションを維持し、モバイル装置におけるバッテリーパワーを維持するために、システム1700へのシグナリングを著しく低減することができる。
【０１０５】
上記に説明されたものは、１つ以上の態様を含む。これは、もちろん、前述の態様を説明する目的のために、すべての考えられる要素及び方法の組み合わせを説明することは不可能ではないが、当業者のうち１人は多くのさらなる様々な態様の組み合わせ及び交換が可能であることを理解してもよい。したがって、説明された態様は、添付された請求項の範囲内あるような変更、修正及び変化をすべて包含することが意図される。
【０１０６】
さらに、用語「含んでいる（includes）」詳細な説明または特許請求の範囲のいずれかにも使用されることが適用されており、そのような用語は、特許請求の範囲において変化する単語として使用されたとき「備えている（comprising）」が解釈されるように、用語「備えている（comprising）」と同様の方法で包括的になることが意図される。
【図１】
2010531095.tif 000003
【図２】
2010531095.tif 000004
【図３】
2010531095.tif 000005
【図４】
2010531095.tif 000006
【図５】
2010531095.tif 000007
【図６】
2010531095.tif 000008
【図７】
2010531095.tif 000009
【図８】
2010531095.tif 000010
【図９】
2010531095.tif 000011
【図１０】
2010531095.tif 000012
【図１１】
2010531095.tif 000013
【図１２】
2010531095.tif 000014
【図１３】
2010531095.tif 000015
【図１４】
2010531095.tif 000016
【図１５】
2010531095.tif 000017
【図１６】
2010531095.tif 000018
【図１７】
2010531095.tif 000019
【国際調査報告】
2010531095.tif 000020
2010531095.tif 000021